(57)【要約】  無線デバイス、ネットワークノード、および方法が提供される。ネットワークノードは、非周期サウンディング参照信号（Ａ−ＳＲＳ）スイッチングトリガを設定し、かつ設定されたＡ−ＳＲＳスイッチングトリガを無線デバイスに送信するように設定される処理回路構成を含む。Ａ−ＳＲＳスイッチングトリガは、所定のダウンリンク制御情報（ＤＣＩ）フォーマットのＤＣＩ、およびグループスイッチングに対する別の所定のＤＣＩフォーマットのＤＣＩのうちの１つである。１つの実施形態では、所定のＤＣＩフォーマットは、２、２Ａ、および３のうちの１つであり、グループスイッチングに対する他の所定のＤＣＩフォーマットは１Ａである。【選択図】図４
2019533927.tif 000002
【特許請求の範囲】
【請求項１】
非周期サウンディング参照信号（Ａ−ＳＲＳ）キャリアスイッチングトリガを設定することであって、前記Ａ−ＳＲＳキャリアスイッチングトリガは、無線デバイス（１２）に、第２のキャリアを使用してＡ−ＳＲＳを送信するための、第１のキャリアから前記第２のキャリアへのＡ−ＳＲＳキャリアスイッチングを行わせるように設定される、Ａ−ＳＲＳキャリアスイッチングトリガを設定すること、および
設定された前記Ａ−ＳＲＳキャリアスイッチングトリガを前記無線デバイス（１２）に送信すること
を行うように設定される、処理回路構成（２８）を含む、ネットワークノード（１４）。
【請求項２】
前記Ａ−ＳＲＳキャリアスイッチングトリガは、ダウンリンク制御情報（ＤＣＩ）フォーマットを有するＤＣＩに含まれる、請求項１に記載のネットワークノード（１４）。
【請求項３】
無線デバイスＡ−ＳＲＳキャリアスイッチングに対する前記ＤＣＩフォーマットは、ＤＣＩフォーマット２、２Ａ、および１Ａのうちの１つである、請求項２に記載のネットワークノード（１４）。
【請求項４】
グループＡ−ＳＲＳキャリアスイッチングに対する前記ＤＣＩフォーマットはＤＣＩフォーマット３から導出される、請求項２に記載のネットワークノード（１４）。
【請求項５】
前記ＳＲＳは前記ＤＣＩによって電力制御される、請求項４に記載のネットワークノード（１４）。
【請求項６】
前記ＤＣＩは、Ａ−ＳＲＳキャリアスイッチングを行うために前記第１のキャリアおよび前記第２のキャリア両方を指示する、請求項２から５のいずれか一項に記載のネットワークノード（１４）。
【請求項７】
前記処理回路構成（２８）は、前記無線デバイス（１２）が、事前設定されたパターン表を使用して、Ａ−ＳＲＳキャリアスイッチングを行うために複数のキャリアから前記第２のキャリアを判断するように設定するようにさらに設定され、前記Ａ−ＳＲＳキャリアスイッチングトリガは、前記事前設定されたパターン表を使用してＡ−ＳＲＳキャリアスイッチングを行うように前記無線デバイス（１２）をトリガするようにさらに設定される、請求項１から６のいずれか一項に記載のネットワークノード（１４）。
【請求項８】
前記事前設定されたパターン表はＲＲＣシグナリングを使用して設定される、請求項７に記載のネットワークノード（１４）。
【請求項９】
前記無線デバイス（１２）が前記事前設定されたパターン表を使用するように設定することは、前記無線デバイス（１２）が、Ａ−ＳＲＳキャリアスイッチングを行うために前記複数のキャリアから前記第２のキャリアを判断するために事前設定された式を使用するように設定することを含む、請求項７に記載のネットワークノード（１４）。
【請求項１０】
前記ＤＣＩはＡ−ＳＲＳキャリアスイッチングを行うために前記事前設定されたパターン表におけるインデックスを指示する、請求項７から９のいずれか一項に記載のネットワークノード（１４）。
【請求項１１】
非周期サウンディング参照信号（Ａ−ＳＲＳ）スイッチングトリガを設定する（Ｓ１００）ことであって、前記Ａ−ＳＲＳスイッチングトリガは、無線デバイス（１２）に、第２のキャリアを使用してＡ−ＳＲＳを送信するための、第１のキャリアから前記第２のキャリアへのＡ−ＳＲＳキャリアスイッチングを行わせるように設定される、Ａ−ＳＲＳキャリアスイッチングトリガを設定することと、
設定された前記Ａ−ＳＲＳキャリアスイッチングトリガを前記無線デバイス（１２）に送信する（Ｓ１０２）ことと、を含む、ネットワークノード（１４）のための方法。
【請求項１２】
前記Ａ−ＳＲＳキャリアスイッチングトリガは、ダウンリンク制御情報（ＤＣＩ）フォーマットを有するＤＣＩに含まれる、請求項１１に記載の方法。
【請求項１３】
無線デバイスＡ−ＳＲＳキャリアスイッチングに対する前記ＤＣＩフォーマットは、ＤＣＩフォーマット２、２Ａ、および１Ａのうちの１つである、請求項１２に記載の方法。
【請求項１４】
グループＡ−ＳＲＳキャリアスイッチングに対する前記ＤＣＩフォーマットはＤＣＩフォーマット３から導出される、請求項１２に記載の方法。
【請求項１５】
前記ＳＲＳは前記ＤＣＩによって電力制御される、請求項１４に記載の方法。
【請求項１６】
前記ＤＣＩは、Ａ−ＳＲＳキャリアスイッチングを行うために前記第１のキャリアおよび前記第２のキャリア両方を指示する、請求項９から１５のいずれか一項に記載の方法。
【請求項１７】
前記無線デバイス（１２）が、事前設定されたパターン表を使用して、Ａ−ＳＲＳキャリアスイッチングを行うために複数のキャリアから前記第２のキャリアを判断するように設定することをさらに含み、前記Ａ−ＳＲＳキャリアスイッチングトリガは、前記事前設定されたパターン表を使用してＡ−ＳＲＳキャリアスイッチングを行うように前記無線デバイス（１２）をトリガするようにさらに設定される、請求項１１から１６のいずれか一項に記載の方法。
【請求項１８】
前記事前設定されたパターン表はＲＲＣシグナリングを使用して設定される、請求項１７に記載の方法。
【請求項１９】
前記無線デバイス（１２）が前記事前設定されたパターン表を使用するように設定することは、前記無線デバイス（１２）が、Ａ−ＳＲＳキャリアスイッチングを行うために前記複数のキャリアから前記第２のキャリアを判断するために事前設定された式を使用するように設定することを含む、請求項１７に記載の方法。
【請求項２０】
前記ＤＣＩはＡ−ＳＲＳキャリアスイッチングを行うために前記事前設定されたパターン表におけるインデックスを指示する、請求項１７から１９のいずれか一項に記載の方法。
【請求項２１】
非周期サウンディング参照信号（Ａ−ＳＲＳ）キャリアスイッチングトリガを受信し、
前記Ａ−ＳＲＳキャリアスイッチングトリガに基づいて、第２のキャリアを使用してＡ−ＳＲＳを送信するための、第１のキャリアから前記第２のキャリアへのＡ−ＳＲＳキャリアスイッチングを行い、
前記第２のキャリア上でＡ−ＳＲＳを送信するように設定される処理回路構成（１８）を含む、無線デバイス（１２）。
【請求項２２】
前記Ａ−ＳＲＳキャリアスイッチングトリガは、ダウンリンク制御情報（ＤＣＩ）フォーマットを有するＤＣＩに含まれる、請求項２１に記載の無線デバイス（１２）。
【請求項２３】
無線デバイスＡ−ＳＲＳキャリアスイッチングに対する前記ＤＣＩフォーマットは、ＤＣＩフォーマット２、２Ａ、および１Ａのうちの１つである、請求項２２に記載の無線デバイス（１２）。
【請求項２４】
グループＡ−ＳＲＳキャリアスイッチングに対する前記ＤＣＩフォーマットはＤＣＩフォーマット３から導出される、請求項２２に記載の無線デバイス（１２）。
【請求項２５】
前記ＳＲＳは前記ＤＣＩによって電力制御される、請求項２４に記載の無線デバイス（１２）。
【請求項２６】
前記ＤＣＩは、Ａ−ＳＲＳキャリアスイッチングを行うために前記第１のキャリアおよび前記第２のキャリア両方を指示する、請求項２２から２５のいずれか一項に記載の無線デバイス（１２）。
【請求項２７】
前記処理回路構成（１８）は、事前設定されたパターン表を使用して、Ａ−ＳＲＳキャリアスイッチングを行うために複数のキャリアから前記第２のキャリアを判断するようにさらに設定され、前記Ａ−ＳＲＳキャリアスイッチングトリガは、前記事前設定されたパターン表を使用してＡ−ＳＲＳキャリアスイッチングを行うように前記無線デバイス（１２）をトリガするようにさらに設定される、請求項２１から２６のいずれか一項に記載の無線デバイス（１２）。
【請求項２８】
前記事前設定されたパターン表はＲＲＣシグナリングを使用して設定される、請求項２７に記載の無線デバイス（１２）。
【請求項２９】
前記事前設定されたパターン表を使用することは、Ａ−ＳＲＳキャリアスイッチングを行うために前記複数のキャリアから前記第２のキャリアを判断するために事前設定された式を使用することを含む、請求項２７に記載の無線デバイス（１２）。
【請求項３０】
前記ＤＣＩはＡ−ＳＲＳキャリアスイッチングを行うために前記事前設定されたパターン表におけるインデックスを指示する、請求項２７から２９のいずれか一項に記載の無線デバイス（１２）。
【請求項３１】
非周期サウンディング参照信号（Ａ−ＳＲＳ）キャリアスイッチングトリガを受信する（Ｓ１０４）ことと、
前記Ａ−ＳＲＳキャリアスイッチングトリガに基づいて、第２のキャリアを使用してＡ−ＳＲＳを送信するための、第１のキャリアから前記第２のキャリアへのＡ−ＳＲＳキャリアスイッチングを行う（Ｓ１０６）ことと、
前記第２のキャリア上でＡ−ＳＲＳを送信する（Ｓ１０８）ことと、を含む、無線デバイス（１２）のための方法。
【請求項３２】
前記Ａ−ＳＲＳキャリアスイッチングトリガは、ダウンリンク制御情報（ＤＣＩ）フォーマットを有するＤＣＩに含まれる、請求項３１に記載の方法。
【請求項３３】
無線デバイスＡ−ＳＲＳキャリアスイッチングに対する前記ＤＣＩフォーマットは、ＤＣＩフォーマット２、２Ａ、および１Ａのうちの１つである、請求項３２に記載の方法。
【請求項３４】
グループＡ−ＳＲＳキャリアスイッチングに対する前記ＤＣＩフォーマットはＤＣＩフォーマット３から導出される、請求項３２に記載の方法。
【請求項３５】
前記ＳＲＳは前記ＤＣＩによって電力制御される、請求項３４に記載の方法。
【請求項３６】
前記ＤＣＩは、Ａ−ＳＲＳキャリアスイッチングを行うために前記第１のキャリアおよび前記第２のキャリア両方を指示する、請求項３２に記載の方法。
【請求項３７】
事前設定されたパターン表を使用して、Ａ−ＳＲＳキャリアスイッチングを行うために複数のキャリアから前記第２のキャリアを判断することをさらに含み、前記Ａ−ＳＲＳキャリアスイッチングトリガは、前記事前設定されたパターン表を使用してＡ−ＳＲＳキャリアスイッチングを行うように前記無線デバイス（１２）をトリガするようにさらに設定される、請求項３１から３６のいずれか一項に記載の方法。
【請求項３８】
前記事前設定されたパターン表はＲＲＣシグナリングを使用して設定される、請求項３７に記載の方法。
【請求項３９】
前記事前設定されたパターン表を使用することは、Ａ−ＳＲＳキャリアスイッチングを行うために前記複数のキャリアから前記第２のキャリアを判断するために事前設定された式を使用することを含む、請求項３７に記載の方法。
【請求項４０】
前記ＤＣＩはＡ−ＳＲＳキャリアスイッチングを行うために前記事前設定されたパターン表におけるインデックスを指示する、請求項３７から３９のいずれか一項に記載の方法。
【請求項４１】
非周期サウンディング参照信号（Ａ−ＳＲＳ）スイッチングトリガを設定することであって、前記Ａ−ＳＲＳキャリアスイッチングトリガは、無線デバイス（１２）に、第２のキャリアを使用してＡ−ＳＲＳを送信するための、第１のキャリアから前記第２のキャリアへのＡ−ＳＲＳキャリアスイッチングを行わせるように設定される、Ａ−ＳＲＳキャリアスイッチングトリガを設定すること、および設定された前記Ａ−ＳＲＳキャリアスイッチングトリガを前記無線デバイス（１２）に送信することを行うように設定されるトリガ設定処理モジュール（３８）を含む、ネットワークノード（１４）。
【請求項４２】
非周期サウンディング参照信号（Ａ−ＳＲＳ）キャリアスイッチングトリガを受信し、前記Ａ−ＳＲＳキャリアスイッチングトリガに基づいて、第２のキャリアを使用してＡ−ＳＲＳを送信するための、第１のキャリアから前記第２のキャリアへのＡ−ＳＲＳキャリアスイッチングを行い、前記第２のキャリア上でＡ−ＳＲＳを送信するように設定されるスイッチングトリガ処理モジュール（３６）を含む、無線デバイス（１２）。
【発明の詳細な説明】
【技術分野】
【０００１】
本発明は、無線通信、とりわけ、無線通信におけるサウンディング参照信号（ＳＲＳ）の非周期シグナリングの制御に関する。
【背景技術】
【０００２】
ＬＴＥ単一キャリア周波数分割多元接続（ＳＣ−ＦＤＭＡ）アップリンクは、データ復調およびチャネルサウンディングのための参照信号（ＲＳ）を組み込む。本明細書では、干渉ランダム化および調整、ならびにチャネルサウンディングの柔軟な設定に関する原理を含むＲＳについて記載されている。
【０００３】
アップリンクＲＳは、コヒーレント復調をサポートするためのチャネル推定、アップリンクスケジューリングのためのチャネル品質推定、電力制御、タイミング推定、および、ダウンリンクビーム形成を支援するための到来方向推定を可能にする。ＲＳの２つのタイプはアップリンク上でサポートされる。
・復調ＲＳ（ＤＭ−ＲＳ）は、物理アップリンク共有チャネル（ＰＵＳＣＨ）上での送信済みアップリンクデータ、および／または物理アップリンク制御チャネル（ＰＵＣＣＨ）上での制御シグナリングと関連付けられる。これらのＲＳは主に、コヒーラント復調のためのチャネル推定に使用される。
・サウンディングＲＳ（ＳＲＳ）は、アップリンクデータ、および／または制御送信と関連付けられず、主に、アップリンク上の周波数選択スケジューリングを提供するためにチャネル品質の判断に使用される。
【０００４】
アップリンクＲＳはデータと時間多重される。無線デバイスのＤＭ−ＲＳは、無線デバイスのＰＵＳＣＨ／ＰＵＣＣＨデータ送信と同じ帯域幅またはリソースブロック（ＲＢ）を占有する。
【０００５】
データ送信のために周波数直交ＲＢセットを異なる無線デバイスに割り当てることは、さらに互いに直交するＤＭ−ＲＳをもたらす助けとなる。
【０００６】
上位層シグナリングによって設定される場合、ＳＲＳはサブフレームにおける最終ＳＣ−ＦＤＭＡシンボル上で送信されることになる。ＳＲＳは、データ送信に使用されるものと異なる帯域幅を占有することができ、それによって、より広い帯域幅のサウンディングが可能になる。同じサブフレームにおいてＳＲＳを送信する無線デバイスは、周波数分割多重（ＦＤＭ）または符号分割多重（ＣＤＭ）のどちらかによって多重化可能である。
【０００７】
アップリンクＲＳについてのいくつかの特性は以下を含む。
・不偏チャネル推定値に対する割り当て済みサブキャリア全ての等しい励起のための周波数領域における一定振幅
・ひいては、ＲＳの送信電力をセルエッジで増大させることが可能になる、データ送信のキュービックメトリック（ＣＭ）未満のＣＭなどの時間領域における低ＣＭ
・ひいては、精確なチャネル推定を可能にする、良好な自己相関性
・ひいては、同じまたは他のセルにおける同じリソース上で送信されるＲＳからの干渉を低減する、異なるＲＳの間の良好な交差相関性
【０００８】
アップリンクサウンディング参照信号（ＳＲＳ）
アップリンクデータおよび／または制御送信と関連付けられないＳＲＳは、アップリンクにおいて周波数選択スケジューリングを提供するためにチャネル品質推定に使用される。しかしながら、ＳＲＳは、電力制御を向上させる、または無線デバイスに対するさまざまな始動機能をサポートするなどのために、他の目的で使用可能である。いくつかの例として、初期の変調符号化方式（ＭＣＳ）選択、データ送信に対する初期の電力制御、タイミングアドバンス、および、周波数リソースが、サブフレームの第１のスロットに対して周波数選択的にアサインされ、かつ第２のスロットにおいて異なる周波数に疑似ランダムにホップする周波数準選択スケジューリングが挙げられる。
【０００９】
ＳＲＳサブフレーム設定および位置
ＳＲＳがセル内の無線デバイスによって送信されるサブフレームは、セル固有のブロードキャストシグナリングによって指示される。４ビットのセル固有の「ｓｒｓＳｕｂｆｒａｍｅＣｏｎｆｉｇｕｒａｔｉｏｎ」パラメータは、サブフレームの１５の可能なセットを指示する。ＳＲＳはそれぞれの無線フレーム内で送信されてよい（追加の情報は、参照により本明細書に組み込まれている、第３世代パートナーシッププロジェクト（３ＧＰＰ）３６．２１１、セクション５．５．３．３において提供される）。このコンフィギュアビリティは、配置シナリオに応じてＳＲＳオーバーヘッドを調節する際に柔軟性をもたらす。第１６の設定は、セルにおいてＳＲＳを完全にオフにスイッチし、これは例えば、元来高速の無線デバイスをサーブするセルに対して実装されてよい。
【００１０】
ＳＲＳ送信は、サブフレーム構造を示す、図１に示される設定済みサブフレームでの最終ＳＣ−ＦＤＭＡシンボルにおけるものである。サブフレーム構造は、１４のＳＣ−ＦＤＭＡシンボルから成り（すなわち、ｌ＝０からｌ＝１３はサブフレームにおける１４のシンボルを示す）、それぞれ７のＳＣ−ＦＤＭＡシンボルを含有する２つのスロットに分割する。よって、ＳＲＳおよびＤＭ−ＲＳは異なるＳＣ−ＦＤＭＡシンボルに位置する。ＰＵＳＣＨデータ送信は、ＳＲＳに対して指定されたＳＣ−ＦＤＭＡシンボル上では許可されず、それによって、最悪なケースでは、およそ７％の（サブフレームごとにＳＲＳシンボルを有する）サウンディングオーバーヘッドが生じる。
【００１１】
ＳＲＳ送信の期間および周期性
ＬＴＥにおけるネットワークノードは、無線デバイスから個々のＳＲＳ送信を要求する、または終了するまでＳＲＳを周期的に送信するように無線デバイスを設定することが可能である。１ビットの無線デバイス固有シグナリングパラメータの「ｄｕｒａｔｉｏｎ」は、要求されたＳＲＳ送信が単一か周期的かどうかを指示する。周期的なＳＲＳ送信が無線デバイスに対して設定される場合、周期性は、２、５、１０、２０、４０、８０、１６０、または３２０ｍｓのいずれかであってよい。ＳＲＳ周期性、およびその周期内のＳＲＳサブフレームオフセットは、「ｓｒｓ−ＣｏｎｆｉｇＩｎｄｅｘ」と呼ばれる、１０ビットの無線デバイス固有の専用シグナリングパラメータによって設定される。３ＧＰＰ、リリース１０において、ＰＤＣＣＨを使用する非周期ＳＲＳ送信を動的にトリガするための機構が導入された。
【００１２】
ＳＲＳシンボル構造
さまざまな無線デバイス間の周波数選択スケジューリングをサポートするために、異なるサウンディング帯域幅による異なる無線デバイスからのＳＲＳは、重複する可能性がある。この重複をサポートするために、インターリーブ周波数分割多元接続（ＩＦＤＭＡ）は、２の繰り返し因子（ＲＰＦ）によってＳＲＳ  ＳＣＦＤＭＡシンボルにおいて使用される。時間領域において、ＲＰＦは、コム状のスペクトルによるＳＲＳ信号の占有されたサブキャリア間に間隔をもたらす、周波数領域デシメーション因子に相当する。よって、ＲＰＦ＝２は、信号が、図２において例として示されるように、割り当てられたサウンディング帯域幅内の第２のサブキャリアごとを占有し、この場合、ＳＣ−ＦＤＭＡシンボル６（ｌ＝６）は２つのＳＲＳ「コム」のそれぞれにおける４つの異なる無線デバイス（「ＵＥ」）からのＳＲＳによって占有されることを暗示する。ＵＥ２、３、および４に対するＳＲＳを伝達するコムは、コムにおけるＰＲＢのそれぞれのペアが異なるＳＲＳを伝達するように周波数においてさらに多重化されることは留意されたい。従って、図２の中央の２のＰＲＢは、ＵＥ＃２のＳＲＳを含有し、下および上のＰＲＢは、それぞれ、ＵＥ３および４に対するＳＲＳを含有する。また、簡潔にするために、ＵＥ３および４に対するＳＲＳを伝達するＰＲＢペアの１つのＰＲＢのみが図２に示されていることは留意されたい。最後に、例示のＰＵＳＣＨ送信が示されており、ここで、ＳＣ−ＦＤＭＡシンボル０−２および４−５はＰＵＳＣＨ変調シンボルを伝達し、ＳＣ−ＦＤＭＡシンボル３はＰＵＳＣＨに対する参照信号を伝達する。より大きいＲＰＦを使用することによって、帯域幅を無線デバイス間でどのように割り当て可能であるかにおける柔軟性を高めることができるが、より大きいＲＰＦは、サウンディングシーケンス長および利用可能なＳＲＳシーケンスの数を低減させる場合がある。従って、ＲＰＦは典型的には２に限定される。
【００１３】
ＳＲＳシンボルのＩＦＤＭＡ構造により、無線デバイスは、この設定可能なＳＲＳパラメータの一部として、ＳＲＳを送信するための０または１の「ｔｒａｎｓｍｉｓｓｉｏｎＣｏｍｂ」インデックスがアサインされる。ＳＲＳに使用されるＲＳシーケンスは、ＤＭ−ＲＳに対するのと同じであることで、ＳＲＳシーケンス長は、ＲＢサイズの２倍、３倍、および／または５倍に制限されることになる。また、ＳＲＳ帯域幅は、２のＲＰＦにより偶数であり、最小ＳＲＳシーケンス長は１２である。
【００１４】
ＤＭ−ＲＳと同様に、同時に存在するＳＲＳは、直交分離を達成するために同じ基本シーケンスの異なる巡回時間シフトを使用して、コムの同じＲＢおよび同じオフセットを使用するさまざまな無線デバイスから送信可能である。ＳＲＳについて、ＳＲＳコムにつき８の巡回時間シフトは、８の巡回時間シフトが均一に間隔があけられ、かつ巡回シフトがそれぞれの無線デバイスに対して個々に設定される場合にサポートされる。
【００１５】
ＳＲＳ帯域幅
ＳＲＳ帯域幅に影響する因子のいくつかは、無線デバイスの最大電力、サウンディング無線デバイスの数、およびサウンディング帯域幅を含む。全帯域幅のサウンディングは、無線デバイスがネットワークノードに十分近い時にほぼ完全なチャネル情報を提供する。しかしながら、全帯域幅のサウンディングは、無線デバイスが全帯域幅にわたる送信を維持するためのこの送信電力をさらに増大できない時にパスロスが増加するため劣化する。ＳＲＳの全帯域幅の送信はまた、巡回時間シフトの限定された数により、チャネルのサウンディングが良好である、同時に存在する無線デバイスの数を限定する。信号雑音比（ＳＮＲ）を改善し、かつ多数のＳＲＳをサポートするために、４つまでのＳＲＳ帯域幅は、システム帯域幅に応じてＬＴＥにおいて同時にサポート可能である。ＳＲＳ帯域幅値に柔軟性をもたらすために、４つのＳＲＳ帯域幅の８つのセットは、それぞれの可能なシステム帯域幅に対して規定されてよい。無線リソース制御（ＲＲＣ）シグナリングは、「ｓｒｓ−ＢａｎｄｗｉｄｔｈＣｏｎｆｉｇ」などの３ビットのセル固有パラメータを使用することによって、８つのセットのどれがセルにおいて適用可能であるかを指示する。これによって、ＳＲＳ領域が可変のシステム帯域幅のエッジ近くにＰＵＣＣＨ領域を含まないように、最大ＳＲＳ帯域幅においていくらかの可変性が可能になる。
【００１６】
無線デバイスに使用される固有のＳＲＳ帯域幅はまた、「ｓｒｓ−Ｂａｎｄｗｉｄｔｈ」などの２ビットの無線デバイス固有パラメータによって設定される。表１は、ＬＴＥにおいてサポートされる最小のサウンディング帯域幅が４ＲＢであることを示す。
2019533927.tif 000003
【００１７】
４ＲＢの小さいサウンディング帯域幅は、電力が限定された無線デバイスからのより高い品質のチャネル情報を提供する。サウンディング帯域幅は、異なる狭帯域ＳＲＳ帯域幅の周波数ホッピングをサポートするために互いの倍数に限られる（追加の情報は、参照により本明細書に組み込まれている、３ＧＰＰ技術仕様（ＴＳ）３６．２１１、セクション５．５．３．２において見出され得る）。
【００１８】
周波数ホッピングは、パラメータ「ｆｒｅｑＤｏｍａｉｎＰｏｓｉｔｉｏｎ」の値に基づいて無線デバイスに対して有効／無効とすることができる。ＳＲＳ帯域幅の木構造は、異なるＳＲＳ帯域幅に対する可能な開始位置を限定し、これによって、開始位置をシグナリングするためのオーバーヘッドが（パラメータ「ｆｒｅｑＤｏｍａｉｎＰｏｓｉｔｉｏｎ」によってそれぞれの無線デバイスにシグナリングされる）５ビットに低減される。表２は、無線デバイスにシグナリングされるさまざまなＳＲＳ設定可能パラメータを示す。
2019533927.tif 000004
【００１９】
ＳＲＳおよびキャリアアグリゲーション：非周期トリガ
ＳＲＳは、動的なアップリンクリソース割り当てをサポートするために、かつＴＤＤ動作といったダウンリンクにおける相互関係支援ビーム形成をサポートするために、アップリンクチャネルサウンディングに使用される。３ＧＰＰリリース８（「リリース８」）において、ＳＲＳは単一送信アンテナからのアップリンクサウンディングのみを可能にする。３ＧＰＰリリース１０（「リリース１０」）におけるアップリンク多重アンテナ送信の導入によって、アップリンクアンテナポート全てからのＳＲＳ送信は、サウンディングが行われるチャネルの空間次元全てを提供するために使用される。リリース８において利用可能な同じ機構を使用して、ＳＲＳ送信を、ＩＦＤＭＡ構造の異なるアンテナポートおよび異なる送信コムインデックスから分離する。
【００２０】
それにもかかわらず、４つまでのアンテナポートに対するＳＲＳの必要性は、全ての送信アンテナについて妥当な割合でサウンディングが行われる場合に、ＳＲＳリソースに対する需要を増大させる。ＲＲＣシグナリングなどの上位層シグナリングによるリソースの準静的設定は、リリース８に対するものよりも適切ではない。従って、リリース１０は、物理ダウンリンク制御チャネル（ＰＤＣＣＨ）によって非周期ＳＲＳ送信を動的にトリガする可能性を導入する。これらの動的な非周期ＳＲＳ送信は「タイプ１」のＳＲＳとして既知であり、リリース８のＲＲＣ設定のＳＲＳはリリース１０において「タイプ０」として既知である。
【００２１】
ＰＤＣＣＨ上のアップリンクリソースグラントにおけるインジケータは、単一のタイプ１のＳＲＳ送信をトリガするために使用可能である。これによって、長期にわたるアップＳＲＳリソースを使用することなく、トラフィックまたはチャネル条件の変化に応答するための急速なチャネルサウンディングがもたらされる。ダウンリンク制御情報（ＤＣＩ）フォーマット０において、１つの新しいビットは、ＲＲＣシグナリングによって先に設定されるパラメータのセットに従ってタイプ１のＳＲＳのアクティブ化を指示する。アップリンクシングルユーザマルチインプットマルチアウトプット（ＳＵ−ＭＩＭＯ）送信をスケジューリングするために使用されるＤＣＩフォーマット４において、２つの新しいビットは、トリガされるＲＲＣ設定のタイプ１のＳＲＳ送信パラメータの３セットのうちの１つを可能にする（残りの状態はタイプ１のＳＲＳアクティブ化を指示しない）。アップリンク多重アンテナ送信の場合、ＳＲＳは多重アンテナポート上で同時にトリガされる。ＳＲＳ送信リソース設定および周波数ホッピングパターンの調整を含むＳＲＳに対する他の改善は、協調ＭＩＭＯ方式およびセル間干渉調整に対しても考慮される。
【００２２】
ＳＲＳは、上位層シグナリングによって、またはＵＬグラントに対するＤＣＩメッセージによって動的に、任意のサービングセル上でトリガ可能である。キャリアアグリゲーションが設定される時、無線デバイスは、それぞれのサービングセル上でトリガするＳＲＳの両方のタイプに対してＳＲＳパラメータによって設定されてよい。以下は、複数のコンポーネントキャリア（ＣＣ）上での送信に関連したＳＲＳに対するいくつかの規則である。
【００２３】
ＳＲＳは、異なるＣＣ上で同時に送信されてよい。
・Ｐｏｌｉｃｙ  Ｃｏｎｔｒｏｌ  ａｎｄ  Ｃｈａｒｇｉｎｇ（ＰＣＣ）に対するＰＵＣＣＨ送信がＳＣＣ上のＳＲＳと一致する場合、無線デバイスは、ＰＵＣＣＨが短縮したフォーマットを使用する場合、ＳＣＣ上でＳＲＳを送信する。
・ＰＵＳＣＨ送信が異なるＣＣ上のＳＲＳと一致する場合、
・任意のセル固有に設定されたＳＲＳサブフレームにおいて送信されたＰＵＳＣＨは同じＣＣ上のＳＲＳリソースの周りでレートマッチングが行われる。
・ＰＵＳＣＨが同じＵＥと異なるＣＣ上の同じ単一キャリア周波数分割多元接続（ＳＣ−ＦＤＭＡ）シンボルにおいて送信される場合、ＳＲＳは減少する。
【００２４】
ＳＲＳキャリアベーススイッチング
キャリアアグリゲーション（ＣＡ）において、ダウンリンクトラフィックがアップリンクトラフィックより混雑している通信シナリオがあり、それによって、典型的な無線デバイスがアップロードされるより多いデータをダウンロードした際に均衡の取れた通信トラフィックシナリオよりも（アグリゲートされた）アップリンクＣＣの数より多い数のアグリゲートされたダウンリンクコンポーネントキャリア（ＣＣ）がもたらされる。さらに、既存の無線デバイスカテゴリについて、典型的なＣＡ対応無線デバイスのみが１つまたは２つのアップリンクＣＣをサポートする。
【００２５】
アップリンクおよびダウンリンク両方をサポートするキャリアについて、プリコーディング行列インジケータ（ＰＭＩ）がなくＳＲＳによる送信ダイバーシチベースフィードバックは、チャネル相互関係が使用可能である際に有益である。しかしながら、無線デバイスは一般的に、ＵＬよりも多数のＤＬキャリアをアグリゲートする能力を有するため、無線デバイスのＤＬ送信による時分割複信（ＴＤＤ）キャリアの一部は、ＳＲＳを含むＵＬ送信を有さないことになり、チャネル相互関係はこれらのキャリアに利用できない。
【００２６】
このような状況は、ＣＣの大部分がＴＤＤである３２までのＣＣのＣＡ拡張によってより厳しくなる。
【発明の概要】
【００２７】
本開示の１つの実施形態によると、ネットワークノードが提供される。ネットワークノードは、非周期サウンディング参照信号（Ａ−ＳＲＳ）スイッチングトリガを設定し、かつ設定されたＡ−ＳＲＳスイッチングトリガを無線デバイスに送信するように設定される処理回路構成を含む。Ａ−ＳＲＳスイッチングトリガは、所定のダウンリンク制御情報（ＤＣＩ）フォーマットのＤＣＩ、およびグループスイッチングに対する別の所定のＤＣＩフォーマットのＤＣＩのうちの１つである。
【００２８】
この態様の１つの実施形態によると、グループスイッチングに対する所定のＤＣＩフォーマットは、２、２Ａ、および３のうちの１つであり、他の所定のＤＣＩフォーマットは１Ａである。この態様の１つの実施形態によると、処理回路構成は、無線デバイスが、スイッチング先およびスイッチング元キャリアの事前設定されたパターン表を使用するように設定して、Ａ−ＳＲＳキャリアスイッチングを行うためのシーケンスを判断するようにさらに設定され、Ａ−ＳＲＳスイッチングトリガは、Ａ−ＳＲＳキャリアスイッチングを行うために事前設定されたパターン表を使用するように無線デバイスをトリガするようにさらに設定される。この態様の１つの実施形態によると、無線デバイスが事前設定されたパターン表を使用するように設定することは、無線デバイスが、Ａ−ＳＲＳキャリアスイッチングのシーケンスを判断するために事前設定された式を使用するように設定することを含む。
【００２９】
この態様の１つの実施形態によると、ＤＣＩはＡ−ＳＲＳキャリアスイッチングを行うために事前設定されたパターン表のインデックスを指示する。この態様の１つの実施形態によると、ＤＣＩはＡ−ＳＲＳキャリアスイッチングを行うためにスイッチング先およびスイッチング元キャリアの両方を指示する。
【００３０】
本開示の別の実施形態によると、方法が提供される。非周期サウンディング参照信号（Ａ−ＳＲＳ）スイッチングトリガが設定される。Ａ−ＳＲＳスイッチングトリガは、所定のダウンリンク制御情報（ＤＣＩ）フォーマットのＤＣＩ、およびグループスイッチングに対する別の所定のＤＣＩフォーマットのＤＣＩのうちの１つである。設定されたＡ−ＳＲＳスイッチングトリガの送信は無線デバイスに送信される。
【００３１】
この態様の１つの実施形態によると、グループスイッチングに対する所定のＤＣＩフォーマットは、２、２Ａ、および３のうちの１つであり、他の所定のＤＣＩフォーマットは１Ａである。この態様の１つの実施形態によると、無線デバイスは、スイッチング先およびスイッチング元キャリアの事前設定されたパターン表を使用して、Ａ−ＳＲＳキャリアスイッチングを行うためのシーケンスを判断するように設定され、Ａ−ＳＲＳスイッチングトリガは、Ａ−ＳＲＳキャリアスイッチングを行うために事前設定されたパターン表を使用するように無線デバイスをトリガするようにさらに設定される。この態様の１つの実施形態によると、無線デバイスが事前設定されたパターン表を使用するように設定することは、無線デバイスが、Ａ−ＳＲＳキャリアスイッチングのシーケンスを判断するために事前設定された式を使用するように設定することを含む。この態様の１つの実施形態によると、ＤＣＩはＡ−ＳＲＳキャリアスイッチングを行うために事前設定されたパターン表のインデックスを指示する。
【００３２】
この態様の１つの実施形態によると、ＤＣＩはＡ−ＳＲＳキャリアスイッチングを行うためにスイッチング先およびスイッチング元キャリアの両方を指示する。
【００３３】
本開示の別の実施形態によると、無線デバイスが提供される。無線デバイスは、非周期サウンディング参照信号（Ａ−ＳＲＳ）スイッチングトリガを受信し、かつ受信したＡ−ＳＲＳスイッチングトリガに基づいてＡ−ＳＲＳスイッチングをトリガするように設定される処理回路構成を含む。Ａ−ＳＲＳスイッチングトリガは、所定のダウンリンク制御情報（ＤＣＩ）フォーマットのＤＣＩ、およびグループスイッチングに対する別の所定のＤＣＩフォーマットのＤＣＩのうちの１つである。
【００３４】
この態様の１つの実施形態によると、グループスイッチングに対する所定のＤＣＩフォーマットは、２、２Ａ、および３のうちの１つであり、他の所定のＤＣＩフォーマットは１Ａである。この態様の１つの実施形態によると、処理回路構成は、スイッチング先およびスイッチング元キャリアの事前設定されたパターン表を使用して、Ａ−ＳＲＳキャリアスイッチングを行うためのシーケンスを判断するようにさらに設定される。この態様の１つの実施形態によると、事前設定されたパターン表を使用することは、Ａ−ＳＲＳキャリアスイッチングのシーケンスを判断するために事前設定された式を使用することを含む。この態様の１つの実施形態によると、ＤＣＩはＡ−ＳＲＳキャリアスイッチングを行うために事前設定されたパターン表のインデックスを指示する。
【００３５】
この態様の１つの実施形態によると、ＤＣＩはＡ−ＳＲＳキャリアスイッチングを行うためにスイッチング先およびスイッチング元キャリアの両方を指示する。
【００３６】
本開示の別の実施形態によると、方法が提供される。非周期サウンディング参照信号（Ａ−ＳＲＳ）スイッチングトリガが受信される。Ａ−ＳＲＳスイッチングトリガは、所定のダウンリンク制御情報（ＤＣＩ）フォーマットのＤＣＩ、およびグループスイッチングに対する別の所定のＤＣＩフォーマットのＤＣＩのうちの１つである。
【００３７】
この態様の１つの実施形態によると、所定のＤＣＩフォーマットは、２、２Ａ、および３のうちの１つであり、グループスイッチングに対する他の所定のＤＣＩフォーマットは１Ａである。この態様の１つの実施形態によると、スイッチング先およびスイッチング元キャリアの事前設定されたパターン表を使用して、Ａ−ＳＲＳキャリアスイッチングを行うためのシーケンスを判断する。これの別の実施形態によると、事前設定されたパターン表を使用することは、Ａ−ＳＲＳキャリアスイッチングのシーケンスを判断するために事前設定された式を使用することを含む。この態様の１つの実施形態によると、ＤＣＩはＡ−ＳＲＳキャリアスイッチングを行うために事前設定されたパターン表のインデックスを指示する。この態様の１つの実施形態によると、ＤＣＩはＡ−ＳＲＳキャリアスイッチングを行うためにスイッチング先およびスイッチング元キャリアの両方を指示する。
【００３８】
本開示の１つの実施形態によると、ネットワークノードが提供される。ネットワークノードは、非周期サウンディング参照信号（Ａ−ＳＲＳ）スイッチングトリガを設定し、かつ設定されたＡ−ＳＲＳスイッチングトリガを無線デバイスに送信するように設定されるトリガ設定処理モジュールを含む。Ａ−ＳＲＳスイッチングトリガは、所定のダウンリンク制御情報（ＤＣＩ）フォーマットのＤＣＩ、およびグループスイッチングに対する別の所定のＤＣＩフォーマットのＤＣＩのうちの１つである。
【００３９】
本開示の１つの実施形態によると、無線デバイスが提供される。無線デバイスは、非周期サウンディング参照信号（Ａ−ＳＲＳ）スイッチングトリガを受信し、かつ受信したＡ−ＳＲＳスイッチングトリガに基づいてＡ−ＳＲＳスイッチングをトリガするように設定されるスイッチングトリガ処理モジュールを含む。Ａ−ＳＲＳスイッチングトリガは、所定のダウンリンク制御情報（ＤＣＩ）フォーマットのＤＣＩ、およびグループスイッチングに対する別の所定のＤＣＩフォーマットのＤＣＩのうちの１つである。
【００４０】
本開示の１つの実施形態によると、ネットワークノードが提供される。ネットワークノードは、非周期サウンディング参照信号（Ａ−ＳＲＳ）キャリアスイッチングトリガを設定することであって、Ａ−ＳＲＳスイッチングトリガは、無線デバイスに、第２のキャリアを使用してＡ−ＳＲＳを送信するための、第１のキャリアから第２のキャリアへのＡ−ＳＲＳキャリアスイッチングを行わせるように設定される、Ａ−ＳＲＳキャリアスイッチングトリガを設定すること、および設定されたＡ−ＳＲＳキャリアスイッチングトリガを無線デバイスに送信することを行うように設定される、処理回路構成を含む。
【００４１】
この態様の１つの実施形態によると、Ａ−ＳＲＳキャリアスイッチングトリガは、ダウンリンク制御情報（ＤＣＩ）フォーマットを有するＤＣＩに含まれる。この態様の１つの実施形態によると、無線デバイスＡ−ＳＲＳキャリアスイッチングに対するＤＣＩフォーマットは、ＤＣＩフォーマット２、２Ａ、および１Ａのうちの１つである。この態様の１つの実施形態によると、ＤＣＩは、Ａ−ＳＲＳキャリアスイッチングを行うために第１のキャリアおよび第２のキャリア両方を指示する。この態様の１つの実施形態によると、グループＡ−ＳＲＳキャリアスイッチングに対するＤＣＩフォーマットはＤＣＩフォーマット３から導出される。この態様の１つの実施形態によると、ＳＲＳはＤＣＬによって電力制御される。
【００４２】
この態様の１つの実施形態によると、処理回路構成は、無線デバイスが、事前設定されたパターン表を使用して、Ａ−ＳＲＳキャリアスイッチングを行うために複数のキャリアから第２のキャリアを判断するように設定するようにさらに設定される。Ａ−ＳＲＳキャリアスイッチングトリガは、事前設定されたパターン表を使用してＡ−ＳＲＳキャリアスイッチングを行うように無線デバイスをトリガするようにさらに設定される。この態様の１つの実施形態によると、事前設定されたパターン表はＲＲＣシグナリングを使用して設定される。この態様の１つの実施形態によると、無線デバイスが事前設定されたパターン表を使用するように設定することは、無線デバイスが、Ａ−ＳＲＳキャリアスイッチングを行うために複数のキャリアから第２のキャリアを判断するために事前設定された式を使用するように設定することを含む。この態様の１つの実施形態によると、ＤＣＩはＡ−ＳＲＳキャリアスイッチングを行うために事前設定されたパターン表におけるインデックスを指示する。
【００４３】
本開示の別の態様によると、ネットワークノードのための方法が提供される。非周期サウンディング参照信号（Ａ−ＳＲＳ）キャリアスイッチングトリガが設定される。Ａ−ＳＲＳキャリアスイッチングトリガは、無線デバイスに、第２のキャリアを使用してＡ−ＳＲＳを送信するための、第１のキャリアから第２のキャリアへのＡ−ＳＲＳキャリアスイッチングを行わせるように設定される。設定されたＡ−ＳＲＳキャリアスイッチングトリガは無線デバイスに送信される。
【００４４】
この態様の１つの実施形態によると、Ａ−ＳＲＳキャリアスイッチングトリガは、ダウンリンク制御情報（ＤＣＩ）フォーマットを有するＤＣＩに含まれる。この態様の１つの実施形態によると、無線デバイスＡ−ＳＲＳキャリアスイッチングに対するＤＣＩフォーマットは、ＤＣＩフォーマット２、２Ａ、および１Ａのうちの１つである。この態様の１つの実施形態によると、グループＡ−ＳＲＳキャリアスイッチングに対するＤＣＩフォーマットはＤＣＩフォーマット３から導出される。この態様の１つの実施形態によると、ＳＲＳはＤＣＬによって電力制御される。この態様の１つの実施形態によると、ＤＣＩは、Ａ−ＳＲＳキャリアスイッチングを行うために第１のキャリアおよび第２のキャリア両方を指示する。
【００４５】
この態様の１つの実施形態によると、無線デバイスは、事前設定されたパターン表を使用して、Ａ−ＳＲＳキャリアスイッチングを行うために複数のキャリアから第２のキャリアを判断するように設定される。Ａ−ＳＲＳキャリアスイッチングトリガは、事前設定されたパターン表を使用してＡ−ＳＲＳキャリアスイッチングを行うように無線デバイスをトリガするようにさらに設定される。この態様の１つの実施形態によると、事前設定されたパターン表はＲＲＣシグナリングを使用して設定される。
【００４６】
この態様の１つの実施形態によると、無線デバイスが事前設定されたパターン表を使用するように設定することは、無線デバイスが、Ａ−ＳＲＳキャリアスイッチングを行うために複数のキャリアから第２のキャリアを判断するために事前設定された式を使用するように設定することを含む。この態様の１つの実施形態によると、ＤＣＩはＡ−ＳＲＳキャリアスイッチングを行うために事前設定されたパターン表におけるインデックスを指示する。
【００４７】
本開示の別の態様によると、無線デバイスが提供される。無線デバイスは、非周期サウンディング参照信号（Ａ−ＳＲＳ）キャリアスイッチングトリガを受信し、Ａ−ＳＲＳキャリアスイッチングトリガに基づいて、第２のキャリアを使用してＡ−ＳＲＳを送信するための、第１のキャリアから第２のキャリアへのＡ−ＳＲＳキャリアスイッチングを行い、第２のキャリア上でＡ−ＳＲＳを送信するように設定される処理回路構成を含む。
【００４８】
この態様の１つの実施形態によると、Ａ−ＳＲＳキャリアスイッチングトリガは、ダウンリンク制御情報（ＤＣＩ）フォーマットを有するＤＣＩに含まれる。この態様の１つの実施形態によると、無線デバイスＡ−ＳＲＳキャリアスイッチングに対するＤＣＩフォーマットは、ＤＣＩフォーマット２、２Ａ、および１Ａのうちの１つである。この態様の１つの実施形態によると、グループＡ−ＳＲＳキャリアスイッチングに対するＤＣＩフォーマットはＤＣＩフォーマット３から導出される。この態様の１つの実施形態によると、ＳＲＳはＤＣＬによって電力制御される。この態様の１つの実施形態によると、ＤＣＩは、Ａ−ＳＲＳキャリアスイッチングを行うために第１のキャリアおよび第２のキャリア両方を指示する。
【００４９】
この態様の１つの実施形態によると、処理回路構成は、事前設定されたパターン表を使用して、Ａ−ＳＲＳキャリアスイッチングを行うために複数のキャリアから第２のキャリアを判断するようにさらに設定される。Ａ−ＳＲＳキャリアスイッチングトリガは、事前設定されたパターン表を使用してＡ−ＳＲＳキャリアスイッチングを行うように無線デバイスをトリガするようにさらに設定される。この態様の１つの実施形態によると、事前設定されたパターン表はＲＲＣシグナリングを使用して設定される。この態様の１つの実施形態によると、事前設定されたパターン表を使用することは、Ａ−ＳＲＳキャリアスイッチングを行うために複数のキャリアから第２のキャリアを判断するために事前設定された式を使用することを含む。この態様の１つの実施形態によると、ＤＣＩはＡ−ＳＲＳキャリアスイッチングを行うために事前設定されたパターン表におけるインデックスを指示する。
【００５０】
本開示の１つの実施形態によると、無線デバイスのための方法が提供される。非周期サウンディング参照信号（Ａ−ＳＲＳ）キャリアスイッチングトリガが受信される。Ａ−ＳＲＳキャリアスイッチングトリガに基づいて、第２のキャリアを使用してＡ−ＳＲＳを送信するための、第１のキャリアから第２のキャリアへのＡ−ＳＲＳキャリアスイッチングが行われる。Ａ−ＳＲＳは第２のキャリア上で送信される。
【００５１】
この態様の１つの実施形態によると、Ａ−ＳＲＳキャリアスイッチングトリガは、ダウンリンク制御情報（ＤＣＩ）フォーマットを有するＤＣＩに含まれる。この態様の１つの実施形態によると、無線デバイスＡ−ＳＲＳキャリアスイッチングに対するＤＣＩフォーマットは、ＤＣＩフォーマット２、２Ａ、および１Ａのうちの１つである。この態様の１つの実施形態によると、グループＡ−ＳＲＳキャリアスイッチングに対するＤＣＩフォーマットはＤＣＩフォーマット３から導出される。この態様の１つの実施形態によると、ＳＲＳはＤＣＬによって電力制御される。この態様の１つの実施形態によると、ＤＣＩは、Ａ−ＳＲＳキャリアスイッチングを行うために第１のキャリアおよび第２のキャリア両方を指示する。
【００５２】
この態様の１つの実施形態によると、事前設定されたパターン表を使用して、Ａ−ＳＲＳキャリアスイッチングを行うために複数のキャリアから第２のキャリアを判断する。Ａ−ＳＲＳキャリアスイッチングトリガは、事前設定されたパターン表を使用してＡ−ＳＲＳキャリアスイッチングを行うように無線デバイスをトリガするようにさらに設定される。この態様の１つの実施形態によると、事前設定されたパターン表はＲＲＣシグナリングを使用して設定される。この態様の１つの実施形態によると、事前設定されたパターン表を使用することは、Ａ−ＳＲＳキャリアスイッチングを行うために複数のキャリアから第２のキャリアを判断するために事前設定された式を使用することを含む。この態様の１つの実施形態によると、ＤＣＩはＡ−ＳＲＳキャリアスイッチングを行うために事前設定されたパターン表におけるインデックスを指示する。
【００５３】
本開示の別の態様によると、ネットワークノードが提供される。トリガ設定処理モジュールは、非周期サウンディング参照信号（Ａ−ＳＲＳ）キャリアスイッチングトリガを設定するように設定される。Ａ−ＳＲＳスイッチングトリガは、無線デバイスに、第２のキャリアを使用してＡ−ＳＲＳを送信するための、第１のキャリアから第２のキャリアへのＡ−ＳＲＳキャリアスイッチングを行わせるように設定される。トリガ設定処理モジュールは、設定されたＡ−ＳＲＳキャリアスイッチングトリガを無線デバイスに送信するように設定される。
【００５４】
本開示の別の態様によると、無線デバイスが提供される。無線デバイスは、非周期サウンディング参照信号（Ａ−ＳＲＳ）キャリアスイッチングトリガを受信し、Ａ−ＳＲＳスイッチングトリガに基づいて、第２のキャリアを使用してＡ−ＳＲＳを送信するための、第１のキャリアから第２のキャリアへのＡ−ＳＲＳキャリアスイッチングを行い、第２のキャリア上でＡ−ＳＲＳを送信するように設定されるスイッチングトリガ処理モジュールを含む。
【００５５】
本実施形態、およびこの付随する利点および特徴をより詳しく理解することは、添付の図面と併せて考慮される時に以下の詳細な説明を参照することによってより容易に理解されるであろう。
【図面の簡単な説明】
【００５６】
【図１】サブフレーム構造を示す図である。
【図２】ＳＲＳコム構造を示す図である。
【図３】本開示の原理による無線通信におけるサウンディング参照信号（ＳＲＳ）の非周期シグナリングの制御のための例示のシステムのブロック図である。
【図４】本開示の教示によるトリガ設定コードの例示のトリガ設定プロセスのフロー図である。
【図５】本開示の教示によるスイッチングトリガコードの例示のスイッチングトリガプロセスのフロー図である。
【図６】本開示の原理による無線デバイス１２の別の例示の実施形態のブロック図である。
【図７】本開示の原理によるネットワークノード１４の別の例示の実施形態のブロック図である。
【発明を実施するための形態】
【００５７】
ＴＤＤ  ＵＬキャリアへのおよびこれらの間の高速キャリアスイッチングを可能にすることは、これらのＴＤＤキャリア上でＳＲＳ送信を可能にするための解決策となり得る。
【００５８】
本開示では、Ａ−ＳＲＳのための信号をトリガする、およびＳＲＳスイッチングのための元のキャリアおよび対象のキャリアのシグナリングのための解決策が提供される。１つまたは複数の実施形態では、本明細書に説明される解決策は、ＳＲＳスイッチング中の「スイッチング先」および「スイッチング元」キャリアの識別、すなわち、第１のキャリアから第２のキャリアへのスイッチングを可能にする。１つまたは複数の実施形態では、本明細書に説明される解決策は、非周期スイッチングのためのトリガの設定を可能にする。第３世代パートナーシッププロジェクト（３ＧＰＰ）からの専門用語、すなわち、Ｌｏｎｇ−Ｔｅｒｍ  Ｅｖｏｌｕｔｉｏｎ（ＬＴＥ）は例として本開示において使用されるが、これは、本開示の範囲を先述したシステムのみに限定するとしてみなされるべきではないことは、留意されたい。とりわけ、ＮＲ（すなわち、５Ｇ）、広帯域符号分割多元接続（ＷＣＤＭＡ）、ＷｉＭＡＸ、ウルトラモバイルブロードバンド（ＵＭＢ）、および汎欧州デジタル移動電話方式（ＧＳＭ）を含む他の無線システムは、本開示の範囲内に包含される概念および方法を活用することから利益を得ることもできる。
【００５９】
ｅＮｏｄｅＢおよび無線デバイスなどの専門用語が、非限定的とみなされるべきであり、とりわけ、この２つの間にある特定の階層関係を暗示しないことも留意されたい。一般に、「ｅＮｏｄｅＢ」は１つのデバイスとして見なされ得るものであり、「無線デバイス」は別のデバイスとみなされ、これら２つのデバイスはある無線チャネル上で互いに通信する。また、本開示はダウンリンクにおける無線送信に重点を置いているが、実施形態はアップリンクにおいて等しく適用可能である。
【００６０】
本明細書で使用される無線デバイスという用語は、セルラーまたはモバイル通信システムにおけるネットワークノードおよび／または別の無線デバイスと通信する任意のタイプの無線デバイスに言及する場合がある。無線デバイスの例には、ユーザ機器（ＵＥ）、対象デバイス、デバイス対デバイス（Ｄ２Ｄ）無線デバイス、マシン型無線デバイスまたはマシン対マシン（Ｍ２Ｍ）通信対応の無線デバイス、ＰＤＡ、ｉＰＡＤ、タブレット、モバイル端末、スマートフォン、ラップトップ埋め込み機器（ＬＥＥ）、ラップトップ搭載機器（ＬＭＥ）、ＵＳＢドングルなどがある。
【００６１】
本明細書で使用される「ネットワークノード」という用語は、無線ネットワークノードまたは別のネットワークノード、例えば、コアネットワークノード、ＭＳＣ、ＭＭＥ、Ｏ＆Ｍ、ＯＳＳ、ＳＯＮ、測位ノード（例えば、Ｅ−ＳＭＬＣ）、ＭＤＴノードなどに言及する場合がある。
【００６２】
本明細書で使用される「ネットワークノード」または「無線ネットワークノード」という用語は、基地局（ＢＳ）、無線基地局、ベーストランシーバ基地局（ＢＴＳ）、基地局コントローラ（ＢＳＣ）、無線ネットワークコントローラ（ＲＮＣ）、エボルブドＮｏｄｅＢ（ｅＮＢまたはｅＮｏｄｅＢ）、ＮｏｄｅＢ、ＭＳＲ  ＢＳなどのマルチスタンダード無線（ＭＳＲ）の無線ノード、中継ノード、ドナーノード制御中継器、無線アクセスポイント（ＡＰ）、送信ポイント、送信ノード、リモートラジオユニット（ＲＲＵ）、リモート無線ヘッド（ＲＲＨ）、分散アンテナシステム（ＤＡＳ）におけるノードなどのいずれかをさらに含むことができる無線ネットワークに含まれる任意の種類のネットワークノードとすることができる。
【００６３】
無線デバイスまたはネットワークノードによって行われるとして本明細書に説明される機能が、複数の無線デバイスおよび／またはネットワークノード上で分散される場合があることは、さらに留意されたい。換言すれば、本明細書に説明されるネットワークノードおよび無線デバイスの機能は、単一の物理デバイスによって行われることに限定されず、実際には、いくつかの物理デバイスの間で分散可能であることが考えられる。
【００６４】
例示の実施形態を詳細に説明する前に、実施形態が、主として、無線通信におけるサウンディング参照信号（ＳＲＳ）の非定期シグナリングの制御に関連している装置コンポーネントおよび処理ステップの組み合わせに存在することは留意されたい。
【００６５】
それ故に、コンポーネントは図面において従来の記号によって適切なところに表現されており、本明細書における記載の利益を有する当業者に容易に明らかになる詳細を有する開示を不明瞭にしないように、実施形態を理解することに関連するこれらの具体的な詳細のみが示されている。
【００６６】
本明細書で使用されるように、「第１の」および「第２の」、ならびに「上部」および「下部」などの関係語は、このようなエンティティまたは要素の間にいずれの物理的または論理的な関係もしくは順序を必ずしも要するまたは暗示することなく、単に、１つのエンティティまたは要素を別のエンティティまたは要素と区別するために使用されてよい。
【００６７】
ＳＲＳを送信するためのパラメータ
ＳＲＳのトリガ
３ＧＰＰリリース１３において、周期ＳＲＳ送信および１回限りのＳＲＳ送信は、ＲＲＣシグナリングによって全体的に設定されるトリガタイプ０のＳＲＳ送信と称される。非周期ＳＲＳ送信は、トリガタイプ１のＳＲＳ送信と標示され、ＲＲＣシグナリング（準静的部分）を介して設定されるがＤＣＩ（動的部分）によってトリガされる。非周期ＳＲＳはリリース１０に導入されている。送信のためのトリガは、（ＦＤＤおよびＴＤＤに対する）物理ダウンリンク制御チャネル（ＰＤＣＣＨ）ＤＣＩフォーマット０／４／１Ａ、およびＴＤＤだけに対するＤＣＩフォーマット２Ｂ／２ＣにおけるＳＲＳ要求フラグである。パラメータの異なるセットは、表３に示されるように選定されたフォーマットに基づいてＲＲＣを介して設定される。
2019533927.tif 000005
【００６８】
他のフォーマットと比較して、ＤＣＩフォーマット４がパラメータの３つの異なるセットを使用して制御可能であることは留意されたい。このような理由で、トリガは、それぞれのセットをアドレス指定可能とする２つのビットを使用する。無線デバイスがＰＤＳＣＨのためのＤＬグラントを受信する時、無線デバイスはハイブリッド自動再送要求肯定応答（ＨＡＲＱ−ＡＣＫ）を送信する。従って、無線デバイスがＤＬグラントにおいて非周期ＳＲＳスイッチングトリガを受信する場合、無線デバイスは、ＨＡＲＱ−ＡＣＫを送信し、かつ別のキャリアにスイッチしてＳＲＳを送信する。しかしながら、いくつかの実施形態では、ＳＲＳを送信するためのスイッチングの前に物理ダウンリンク共有チャネル（ＰＤＳＣＨ）を復号することは必要ではない。ＰＤＳＣＨ復号は、スイッチングプロセス中に並行して続行することができ、無線デバイスは他のキャリア上でＳＲＳを送信後ＨＡＲＱ−ＡＣＫを送信することができる。
【００６９】
従って、一実施形態では、無線デバイスがＡ−ＳＲＳキャリアスイッチング送信をトリガするＤＬグラントを受信する時、無線デバイスはそのキャリアのスペシャルサブフレームにおいて異なるキャリア上でＡ−ＳＲＳを送信し、この場合、そのスペシャルサブフレームは、ＤＬグラントに対応するＨＡＲＱ−ＡＣＫが送信されるサブフレームの直前のものである。
【００７０】
いくつかの実施形態では、無線デバイスは、非周期ＳＲＳ送信が、ＲＲＣ設定に基づいて、最短でもトリガの検出後４番目のサブフレームにおいてＳＲＳを送るように設定される。このような実施形態は、ＤＣＩフォーマット３および３ＡがＡ−ＳＲＳキャリアスイッチングをトリガするために使用される時を含むが、これは、これらがＨＡＲＱ−ＡＣＫの送信を必要としないからである。１つまたは複数の実施形態では、Ａ−ＳＲＳキャリアベーススイッチングのためのＳＲＳパラメータは、レガシからＳＲＳパラメータセットを再利用することができる。さらに、スイッチングのみに関連しているパラメータは別個のセットとして追加されてよい。
【００７１】
ＤＣＩフォーマット１ｘおよび２ｘは、ダウンリンクデータのスケジューリングのために使用される。３ＧＰＰリリース１３において、フォーマット１Ａ  ２Ｂ／２Ｃ／２ＤのみがＳＲＳ要求フラグを含む。また、Ｃ−ＲＮＴＩマスキングを使用して、ＤＣＩフォーマット１Ａは共通のおよび無線デバイス固有の探索空間において、および、ＤＣＩフォーマット１、１Ｂ、１Ｄ、２、２Ａ、２Ｂ、２Ｃ、および２Ｄは無線デバイス固有の探索空間において、使用可能である。さらに、送信電力制御（ＴＰＣ）に対するグループＤＣＩフォーマット３は、ＳＲＳフラグが追加される場合ＳＲＳトリガをハンドリングすることが可能である。
【００７２】
１つまたは複数の実施形態において、ＤＣＩを介してＳＲＳをトリガするために、ＳＲＳトリガはＤＣＩフォーマット２および２Ａに追加される。１つまたは複数の他の実施形態では、非周期ＳＲＳフラグの使用は、ＳＲＳスイッチングに対する既存のフォーマットに制限される。１つまたは複数の他の実施形態では、ＤＣＩ１ＡはグループスイッチングのためのＳＲＳトリガを伝達するために使用される。別の実施形態では、ＤＣＩ３フォーマットは、ＳＲＳをトリガすること、およびＳＲＳ  ＴＰＣを制御することの両方のために使用される。
【００７３】
スイッチング先およびスイッチング元キャリアの識別、すなわち、第１のキャリアおよび第２のキャリアの識別では、キャリアスイッチングは第１のキャリアから第２のキャリアに対するものである。
【００７４】
１以上のＣＣがＵＬ送信なしで設定される時、ＳＲＳスイッチングの、元のキャリア、すなわち第１のキャリア、および宛先キャリア、すなわち第２のキャリアをアドレス指定する必要がある。以下に論述する２つの可能な解決策がある。
【００７５】
第１の解決策は、順次無線デバイスが従う固定スイッチングパターンの表である。これは、ＲＲＣにおいて設定可能であり、元のおよび宛先キャリアはさらにまた、パターンに従ってそれぞれの送信時に決定される。
2019533927.tif 000006
を元のキャリアのキャリア番号とし、
2019533927.tif 000007
を宛先キャリアのキャリア番号とする。キャリアペアは、
2019533927.tif 000008
によって決定される。
【００７６】
スイッチングパターン表においてｘ（ｉ）をインデックスｉのパターンと規定する。ｎはサブフレーム番号であり、＋Ｎｓｒｓｐａｔｔｅｒｎｏｆｆｓｅｔは設定可能な表インデックスオフセットである。表は以下の式を使用して生成される。
Ｓｏｕｒｃｅ＿ｃｃ（ｉｎｄｅｘ）＝ａｃｔｉｖｅ＿ｃｃ（ｆｌｏｏｒ（ｉｎｄｅｘ／ｎｒｏｆ＿ｓｒｓ＿ｃｃ）ｍｏｄ  ｎｒｏｆ＿ａｃｔｉｖｅ＿ｃｃ）（式２）
Ｄｅｓｔｉｎａｔｉｏｎ＿ｃｃ（ｉｎｄｅｘ）＝ｉｎｄｅｘ  ｍｏｄ（ｎｒｏｆ＿ｓｒｓ＿ｃｃ）（式３）
【００７７】
この解決策は、ＳＲＳキャリアスイッチングのために、いずれのＤＣＩ信号またはＲＲＣ信号も必要とせず、無線デバイスの初期設定で実装可能である。パターンシーケンス表についての一例は表４に示される。
2019533927.tif 000009
【００７８】
ここで、同様の参照指示子が同様の要素を指す作図を参照すると、図３には、本開示の原理による、かつ全般的に「１０」と指定される、無線通信におけるサウンディング参照信号（ＳＲＳ）の非周期シグナリングの制御のための例示のシステムが示されている。システム１０は、１つまたは複数の通信プロトコルを使用して１つまたは複数の通信ネットワークを介して互いに通信する、１つまたは複数の無線デバイス１２ａ〜１２ｎ（無線デバイス１２と総称される）および１つまたは複数のネットワークノード１４ａ〜１４ｎ（ネットワークノード１４と総称される）を含む。この場合、無線デバイス１２および／またはネットワークノード１４は、本明細書に説明されるプロセスを行うように設定される。
【００７９】
無線デバイス１２は、１つまたは複数の他の無線デバイス１２、ネットワークノード１４、および／またはシステム１０における他の要素と通信するための１つまたは複数の通信インターフェース１６を含む。１つまたは複数の実施形態では、通信インターフェース１６は１つまたは複数の送信機および／または１つまたは複数の受信機を含む。無線デバイス１２は処理回路構成１８を含む。処理回路構成１８はプロセッサ２０およびメモリ２２を含む。在来のプロセッサおよびメモリに加えて、処理回路構成１８は、処理および／または制御のための集積回路構成、例えば、１つまたは複数のプロセッサおよび／またはプロセッサコアおよび／またはＦＰＧＡ（フィールドプログラマブルゲートアレイ）および／またはＡＳＩＣ（特定用途向け集積回路構成）を含んでよい。プロセッサ２０は、任意の種類の揮発性および／または不揮発性メモリ、例えば、キャッシュおよび／もしくはバッファメモリならびに／またはＲＡＭ（ランダムアクセスメモリ）ならびに／またはＲＯＭ（読み出し専用メモリ）ならびに／または光メモリならびに／またはＥＰＲＯＭ（消去可能プログラマブル読み出し専用メモリ）を含むことができる（例えば、書き込みおよび／または読み出し）メモリ２２にアクセスするように設定されてよい。このようなメモリ２２は、プロセッサ２０によって実行可能なコードおよび／または他のデータ、例えば、通信、例えば設定に関するデータ、および／またはノードのアドレスデータなどを記憶するように設定されてよい。
【００８０】
処理回路構成１８は、本明細書に説明される方法および／またはプロセスのいずれかを制御するように、および／またはこのような方法および／またはプロセスを、例えば無線デバイス２６に行わせるように設定されてよい。プロセッサ２０は、本明細書に説明される無線デバイス１２の機能を行うための１つまたは複数のプロセッサ２０に対応する。無線デバイス１２は、データ、プログラムソフトウェアコード、および／または本明細書に説明される他の情報を記憶するように設定されるメモリ２２を含む。１つまたは複数の実施形態では、メモリ２２はスイッチングトリガコード２４を記憶するように設定される。例えば、スイッチングトリガコード２４は、プロセッサ２０によって実行される時、プロセッサ２０に、図５に関して詳細に論述されるプロセス、および本明細書に論述される実施形態を行わせる命令を含む。
【００８１】
ネットワークノード１４は、１つまたは複数の他のネットワークノード１４、無線デバイス１２、および／またはシステム１０における他の要素との通信のための１つまたは複数の通信インターフェース２６を含む。１つまたは複数の実施形態において、通信インターフェース２６は１つまたは複数の送信機および／または１つまたは複数の受信機を含む。ネットワークノード１４は処理回路構成２８を含む。処理回路構成２８はプロセッサ３０およびメモリ３２を含む。在来のプロセッサおよびメモリに加えて、処理回路構成２８は、処理および／または制御のための集積回路構成、例えば、１つまたは複数のプロセッサおよび／またはプロセッサコアおよび／またはＦＰＧＡ（フィールドプログラマブルゲートアレイ）および／またはＡＳＩＣ（特定用途向け集積回路構成）を含んでよい。プロセッサ３０は、任意の種類の揮発性および／または不揮発性メモリ、例えば、キャッシュおよび／もしくはバッファメモリならびに／またはＲＡＭ（ランダムアクセスメモリ）ならびに／またはＲＯＭ（読み出し専用メモリ）ならびに／または光メモリならびに／またはＥＰＲＯＭ（消去可能プログラマブル読み出し専用メモリ）を含むことができる（例えば、書き込みおよび／または読み出し）メモリ２２にアクセスするように設定されてよい。このようなメモリ３２は、プロセッサ３０によって実行可能なコードおよび／または他のデータ、例えば、通信、例えば設定に関するデータ、および／またはノードのアドレスデータなどを記憶するように設定されてよい。
【００８２】
処理回路構成２８は、本明細書に説明される方法および／またはプロセスのいずれかを制御するように、および／またはこのような方法および／またはプロセスを、例えばネットワークノード１４に行わせるように設定されてよい。プロセッサ３０は、本明細書に説明されるネットワークノード１４の機能を行うための１つまたは複数のプロセッサ３０に対応する。ネットワークノード１４は、データ、プログラムソフトウェアコード、および／または本明細書に説明される他の情報を記憶するように設定されるメモリ３２を含む。１つまたは複数の実施形態では、メモリ３２はトリガ設定コード３４を記憶するように設定される。例えば、トリガ設定コード３４は、プロセッサ３０によって実行される時、プロセッサ３０に、図４に関して詳細に論述されるプロセス、および本明細書に論述される実施形態を行わせる命令を含む。
【００８３】
図４は、本開示の教示によるトリガ設定コード３４の例示のトリガ設定プロセスのフロー図である。処理回路構成２８は、本明細書に説明されるように、非周期サウンディング参照信号（Ａ−ＳＲＳ）キャリアスイッチングトリガを設定する（ブロックＳ１００）。１つまたは複数の実施形態では、Ａ−ＳＲＳキャリアスイッチングトリガは、無線デバイス１２に、第２のキャリアを使用してＡ−ＳＲＳを送信するための、第１のキャリアから第２のキャリアへのＡ−ＳＲＳキャリアスイッチングを行わせるように設定される。処理回路構成２８は、本明細書に説明されるように、設定されたＡ−ＳＲＳキャリアスイッチングトリガを無線デバイス１２に送信する（ブロックＳ１０２）。
【００８４】
図５は、本開示の教示によるスイッチングトリガコード２４の例示のスイッチングトリガプロセスのフロー図である。処理回路構成１８は、本明細書に説明されるように、非周期サウンディング参照信号（Ａ−ＳＲＳ）キャリアスイッチングトリガを受信する（ブロックＳ１０４）。処理回路構成１８は、Ａ−ＳＲＳキャリアスイッチングトリガに基づいて、第２のキャリアを使用してＡ−ＳＲＳを送信するための、第１のキャリアから第２のキャリへのＡ−ＳＲＳキャリアスイッチングを行う（ブロックＳ１０６）。処理回路構成１８は、本明細書に説明されるように、第２のキャリア上でＡ−ＳＲＳを送信するように設定される（Ｓ１０８）。
【００８５】
以下は、本開示の１つまたは複数の実施形態である。
【００８６】
トリガベーススイッチングについて
第１の実施形態において、ＤＣＩを介してＳＲＳキャリアスイッチングをトリガするために、ＳＲＳキャリアスイッチングトリガはＤＣＩフォーマット２および２Ａに追加される。第２の実施形態において、非周期ＳＲＳフラグの使用はＳＲＳキャリアスイッチングに対する既存のフォーマットに制限される。１つまたは複数の実施形態では、ＳＲＳキャリアスイッチングトリガは、ＳＲＳ送信をトリガするために使用されるが、この送信によって、無線デバイス１２は、無線デバイス１２がＰＵＳＣＨで送信できるセルから、無線デバイス１２がＰＵＳＣＨで送信できないセルにスイッチングする。
【００８７】
別の実施形態では、ＤＣＩ１ＡはグループスイッチングのためにＳＲＳキャリアスイッチングトリガを伝達するために使用される。別の実施形態では、ＤＣＩ３フォーマットは、ＳＲＳキャリアスイッチングをトリガすること、およびＳＲＳ  ＴＰＣを制御することの両方のために使用される。
【００８８】
別の実施形態では、ＵＥは非周期ＳＲＳキャリアスイッチング送信をトリガするＤＬグラントを受信し、ＵＥはそのキャリアのスペシャルサブフレームにおいて異なるキャリア上でＳＲＳを送信し、この場合、そのスペシャルサブフレームは、ＤＬグラントに対応するＨＡＲＱ−ＡＣＫが送信されるサブフレームの直前のものである。
【００８９】
スイッチングキャリア識別について
第１の実施形態では、ＳＲＳスイッチング先およびスイッチング元キャリアスイッチング制御は、スイッチング先およびスイッチング元キャリアの事前設定されたパターン表を使用すること、およびスイッチングの厳密なシーケンスのために事前設定された式を使用することである。
【００９０】
この解決策が制限的過ぎる場合、事前設定されたスイッチングパターン表を依然使用することも可能であるが、ＤＣＩを介して表インデックスを送ることによってある瞬間に厳密なスイッチングパターンを選定することを可能にする。インデックスは、Ａ−ＳＲＳの場合にＳＲＳトリガと共に、またはＰ−ＳＲＳのスイッチングを再設定するためにＰ−ＳＲＳ送信の前に送られ得る。
【００９１】
別の実施形態では、ＳＲＳスイッチング先およびスイッチング元キャリアスイッチング制御は、スイッチング先およびスイッチング元キャリアの事前設定されたパターン表を使用することである。次のスイッチングのスイッチング先およびスイッチング元キャリアの識別はさらにまた、この表に対するインデックスとしてＤＣＩを介してシグナリングされる。
【００９２】
最後に、完全な柔軟性が所望される場合、それぞれのスイッチングインスタンスに対してＤＣＩにおいてスイッチング先およびスイッチング元キャリアのキャリア番号を送ることが可能である。必要とされるビット数が、
ｌｏｇ２（ｎｕｍｂｅｒ  ｏｆ  ＵＬ  ＣＣｓ）＋ｌｏｇ２（ｎｕｍｂｅｒ  ｏｆ  ＳＲＳ  ＣＣｓ）
であるため、これが、多数のキャリアがアドレス指定されることになる場合のオーバーヘッドに関して最も費用がかかる解決策であることは留意されたい。例えば、５ＤＬ＋２ＵＬシステムは最低で４ビットを必要とすると思われる。
【００９３】
さらに別の実施形態では、ＳＲＳスイッチング先およびスイッチング元キャリアスイッチング制御のオプション３は、上記の２つ両方に対するキャリア番号をＤＣＩを介しておよびキャリアからシグナリングすることである。
【００９４】
図６は、本開示の原理による無線デバイス１２の別の例示の実施形態のブロック図である。無線デバイス１２は、スイッチングトリガコード２４に関して説明した機能を行うためのスイッチングトリガ処理モジュール３６を含む。図７は、本開示の原理によるネットワークノード１４の別の例示の実施形態のブロック図である。ネットワークノード１４は、トリガ設定コード３４に関して説明した機能を行うためのトリガ設定処理モジュール３８を含む。
【００９５】
当業者には理解されるであろうが、本明細書に説明される概念は、方法、データ処理システム、および／またはコンピュータプログラム製品として具現化されてよい。それ故に、本明細書に説明される概念は、完全にハードウェアの実施形態、完全にソフトウェアの実施形態、または、全てが全般的に、本明細書において「回路」または「モジュール」と称されるソフトウェアの態様とハードウェアの態様とを組み合わせた実施形態の形態を取ることができる。さらに、本開示は、コンピュータによって実行可能である媒体において具現化されるコンピュータプログラムコードを有する有形のコンピュータ使用可能記憶媒体上のコンピュータプログラム製品の形態を取ることができる。ハードディスク、ＣＤ−ＲＯＭ、電子記憶デバイス、光記憶デバイス、または磁気記憶デバイスを含む任意の適した有形のコンピュータ可読媒体が利用されてよい。
【００９６】
いくつかの実施形態は、方法、システム、およびコンピュータプログラム製品のフローチャート図および／またはブロック図を参照して本明細書に説明されている。フローチャート図および／またはブロック図、ならびにフローチャート図および／またはブロック図のブロックの組み合わせは、コンピュータプログラム命令によって実装可能であることが理解されるであろう。これらのコンピュータプログラム命令を、汎用コンピュータ、専用コンピュータ、または他のプログラマブルデータ処理装置のプロセッサに与えて、マシンを製造することで、コンピュータまたは他のプログラマブルデータ処理装置のプロセッサによって実行する命令が、フローチャートおよび／またはブロック図の１つまたは複数のブロックにおいて特定された機能／作用を実装するための手段を作り出すようにすることができる。
【００９７】
これらのコンピュータプログラム命令を、コンピュータまたは他のプログラマブルデータ処理装置に特定のやり方で機能するように指図することができるコンピュータ可読メモリまたは記憶媒体に記憶することで、そのコンピュータ可読メモリに記憶された命令が、フローチャートおよび／またはブロック図の１つまたは複数のブロックにおいて特定された機能／作用を実施する命令手段を含む製品を製造するようにすることもできる。
【００９８】
コンピュータプログラム命令を、コンピュータまたは他のプログラマブルデータ処理装置にロードして、コンピュータ実施プロセスを生じさせるための一連の動作ステップをコンピュータまたは他のプログラマブル装置上で実行させ、それによって、コンピュータまたは他のプログラマブル装置上で実行する命令が、フローチャートまたはブロック図の１つまたは複数のブロックにおいて特定された機能／作用を実施するためのステップを提供するようにすることもできる。
【００９９】
ブロックに記される機能／作用が、動作図に記される順序以外で生じる場合があることは、理解されたい。例えば、連続して示される２つのブロックは、実際には、実質的に同時に実行可能である、または、該ブロックは、関係する機能性／作用に応じて、逆の順序で実行される時があってよい。図のいくつかは、通信の主要な方向を示すために通信経路上に矢印を含むが、図示された矢印と反対の方向に通信が生じる場合があることは理解されたい。
【０１００】
本明細書に説明される概念の動作を実行するためのコンピュータプログラムコードは、Ｊａｖａ（登録商標）またはＣ＋＋などのオブジェクト指向プログラミング言語で記述されてよい。しかしながら、本開示の動作を実行するためのコンピュータプログラムコードは、「Ｃ」プログラミング言語などの従来の手続き型プログラミング言語で記述されてもよい。プログラムコードは、全体がユーザのコンピュータ上で実行される場合があり、独立したソフトウェアパッケージとして、一部がユーザのコンピュータ上で実行される場合があり、一部がユーザのコンピュータ上で実行され、一部がリモートコンピュータ上で実行される場合があり、または全体がリモートコンピュータ上で実行される場合がある。後者のシナリオの場合、リモートコンピュータは、ローカルエリアネットワーク（ＬＡＮ）またはワイドエリアネットワーク（ＷＡＮ）を通してユーザのコンピュータに接続されてよい、または（例えば、インターネットサービスプロバイダを使用したインターネットを通して）外部のコンピュータへの接続がなされてよい。
【０１０１】
上記の説明および図面に関連して、多くの異なる実施形態が本明細書に開示されている。これらの実施形態の組み合わせおよび部分的組み合わせ全てをそのまま説明および例示することは、繰り返しが多すぎて不明瞭になるであろうことは理解されるであろう。それ故に、全ての実施形態は任意のやり方および／または組み合わせで組み合わせ可能であり、図面を含む本明細書は、本明細書に説明される実施形態の全ての組み合わせおよび部分的組み合わせ、ならびにそれらを作成しかつ使用するやり方およびプロセスの完全に記述された説明を構成すると解釈されるものとし、かつ任意のかかる組み合わせまたは部分的組み合わせに対する特許請求をサポートするものとする。
【０１０２】
本明細書に説明される実施形態が、とりわけ、本明細書において上記に示されかつ説明されているものに限定されないことは、当業者には理解されるであろう。さらに、特に言及しない限り、添付の図面の全てが一定尺度ではないことは留意されるべきである。上記の教示を考慮してさまざまな修正および変形が可能である。
【０１０３】
いくつかの実施形態には以下が挙げられる。
【０１０４】
実施形態１．非周期サウンディング参照信号（Ａ−ＳＲＳ）スイッチングトリガを設定することであって、Ａ−ＳＲＳスイッチングトリガは、所定のダウンリンク制御情報（ＤＣＩ）フォーマットのＤＣＩ、およびグループスイッチングに対する別の所定のＤＣＩフォーマットのＤＣＩのうちの１つである、設定すること、および設定されたＡ−ＳＲＳスイッチングトリガを無線デバイス１２に送信することを行うように設定される処理回路構成２８を含む、ネットワークノード１４。
【０１０５】
実施形態２．所定のＤＣＩフォーマットは２、２Ａ、および３のうちの１つであり、グループスイッチングに対する他の所定のＤＣＩフォーマットは１Ａである、実施形態１のネットワークノード１４。
【０１０６】
実施形態３．処理回路構成２８は、無線デバイス１２がスイッチング先およびスイッチング元キャリアの事前設定されたパターン表を使用してＡ−ＳＲＳキャリアスイッチングを行うためのシーケンスを判断するように設定するようにさらに設定され、Ａ−ＳＲＳスイッチングトリガは、Ａ−ＳＲＳキャリアスイッチングを行うために事前設定されたパターン表を使用するように無線デバイス１２をトリガするようにさらに設定される、実施形態１から２のいずれか１つのネットワークノード１４。
【０１０７】
実施形態４．無線デバイス１２が事前設定されたパターン表を使用するように設定することは、無線デバイス１２が、Ａ−ＳＲＳキャリアスイッチングのシーケンスを判断するために事前設定された式を使用するように設定することを含む、実施形態３のネットワークノード１４。
【０１０８】
実施形態５．ＤＣＩはＡ−ＳＲＳキャリアスイッチングを行うために事前設定されたパターン表のインデックスを指示する、実施形態３から４のいずれかのネットワークノード１４。
【０１０９】
実施形態６．ＤＣＩはＡ−ＳＲＳキャリアスイッチングを行うためにスイッチング先およびスイッチング元キャリアの両方を指示する、実施形態１から２のいずれか１つのネットワークノード１４。
【０１１０】
実施形態７．処理回路構成２８が、非周期サウンディング参照信号（Ａ−ＳＲＳ）スイッチングトリガを設定することであって、Ａ−ＳＲＳスイッチングトリガは、所定のダウンリンク制御情報（ＤＣＩ）フォーマットのＤＣＩ、およびグループスイッチングに対する別の所定のＤＣＩフォーマットのＤＣＩのうちの１つである、設定すること、および設定されたＡ−ＳＲＳスイッチングトリガを無線デバイス１２に送信することを行うように設定されることを含む、方法。
【０１１１】
実施形態８．所定のＤＣＩフォーマットは２、２Ａ、および３のうちの１つであり、グループスイッチングに対する他の所定のＤＣＩフォーマットは１Ａである、実施形態７の方法。
【０１１２】
実施形態９．処理回路構成は、無線デバイス１２が、スイッチング先およびスイッチング元キャリアの事前設定されたパターン表を使用して、Ａ−ＳＲＳキャリアスイッチングを行うためのシーケンスを判断するように設定するようにさらに設定され、Ａ−ＳＲＳスイッチングトリガは、Ａ−ＳＲＳキャリアスイッチングを行うために事前設定されたパターン表を使用するように無線デバイス１２をトリガするようにさらに設定される、実施形態７から８のいずれか１つの方法。
【０１１３】
実施形態１０．無線デバイス１２が事前設定されたパターン表を使用するように設定することは、無線デバイス１２が、Ａ−ＳＲＳキャリアスイッチングのシーケンスを判断するために事前設定された式を使用するように設定することを含む、実施形態９の方法。
【０１１４】
実施形態１１．ＤＣＩはＡ−ＳＲＳキャリアスイッチングを行うために事前設定されたパターン表のインデックスを指示する、実施形態９から１０のいずれかの方法。
【０１１５】
実施形態１２．ＤＣＩはＡ−ＳＲＳキャリアスイッチングを行うためにスイッチング先およびスイッチング元キャリアの両方を指示する、実施形態７から８のいずれか１つの方法。
【０１１６】
実施形態１３．非周期サウンディング参照信号（Ａ−ＳＲＳ）スイッチングトリガを受信することであって、Ａ−ＳＲＳスイッチングトリガは、所定のダウンリンク制御情報（ＤＣＩ）フォーマットのＤＣＩ、およびグループスイッチングに対する別の所定のＤＣＩフォーマットのＤＣＩのうちの１つである、受信すること、および受信したＡ−ＳＲＳスイッチングトリガに基づいてＡ−ＳＲＳスイッチングをトリガすることを行うように設定される処理回路構成１８を含む、無線デバイス１２。
【０１１７】
実施形態１４．所定のＤＣＩフォーマットは２、２Ａ、および３のうちの１つであり、グループスイッチングに対する他の所定のＤＣＩフォーマットは１Ａである、実施形態１３の無線デバイス１２。
【０１１８】
実施形態１５．処理回路構成１８は、スイッチング先およびスイッチング元キャリアの事前設定されたパターン表を使用して、Ａ−ＳＲＳキャリアスイッチングを行うためのシーケンスを判断するようにさらに設定される、実施形態１３から１４のいずれか１つの無線デバイス１２。
【０１１９】
実施形態１６．事前設定されたパターン表を使用することは、Ａ−ＳＲＳキャリアスイッチングのシーケンスを判断するために事前設定された式を使用することを含む、実施形態１５の無線デバイス１２。
【０１２０】
実施形態１７．ＤＣＩはＡ−ＳＲＳキャリアスイッチングを行うために事前設定されたパターン表のインデックスを指示する、実施形態１５から１６のいずれかの無線デバイス１２。
【０１２１】
実施形態１８．ＤＣＩはＡ−ＳＲＳキャリアスイッチングを行うためにスイッチング先およびスイッチング元キャリアの両方を指示する、実施形態１３から１４のいずれか１つの無線デバイス１２。
【０１２２】
実施形態１９．非周期サウンディング参照信号（Ａ−ＳＲＳ）スイッチングトリガを受信することであって、Ａ−ＳＲＳスイッチングトリガは、所定のダウンリンク制御情報（ＤＣＩ）フォーマットのＤＣＩ、およびグループスイッチングに対する別の所定のＤＣＩフォーマットのＤＣＩのうちの１つである、受信することと、受信したＡ−ＳＲＳスイッチングトリガに基づいてＡ−ＳＲＳスイッチングをトリガすることと、を含む、方法。
【０１２３】
実施形態２０．所定のＤＣＩフォーマットは、２、２Ａ、および３のうちの１つであり、グループスイッチングに対する他の所定のＤＣＩフォーマットは１Ａである、実施形態１９の方法。
【０１２４】
実施形態２１．スイッチング先およびスイッチング元キャリアの事前設定されたパターン表を使用して、Ａ−ＳＲＳキャリアスイッチングを行うためのシーケンスを判断することをさらに含む、実施形態１９から２０のいずれか１つの方法。
【０１２５】
実施形態２２．事前設定されたパターン表を使用することは、Ａ−ＳＲＳキャリアスイッチングのシーケンスを判断するために事前設定された式を使用することを含む、実施形態２１の方法。
【０１２６】
実施形態２３．ＤＣＩはＡ−ＳＲＳキャリアスイッチングを行うために事前設定されたパターン表のインデックスを指示する、実施形態２１から２２のいずれかの方法。
【０１２７】
実施形態２４．ＤＣＩはＡ−ＳＲＳキャリアスイッチングを行うためにスイッチング先およびスイッチング元キャリアの両方を指示する、実施形態１９から２０のいずれか１つの方法。
【０１２８】
実施形態２５．非周期サウンディング参照信号（Ａ−ＳＲＳ）スイッチングトリガを設定することであって、Ａ−ＳＲＳスイッチングトリガは、所定のダウンリンク制御情報（ＤＣＩ）フォーマットのＤＣＩ、およびグループスイッチングに対する別の所定のＤＣＩフォーマットのＤＣＩのうちの１つである、設定すること、および設定されたＡ−ＳＲＳスイッチングトリガを無線デバイス１２に送信することを行うように設定されるトリガ設定処理モジュール３８を含む、ネットワークノード１４。
【０１２９】
実施形態２６．非周期サウンディング参照信号（Ａ−ＳＲＳ）スイッチングトリガを受信することであって、Ａ−ＳＲＳスイッチングトリガは、所定のダウンリンク制御情報（ＤＣＩ）フォーマットのＤＣＩ、およびグループスイッチングに対する別の所定のＤＣＩフォーマットのＤＣＩのうちの１つである、受信すること、および受信したＡ−ＳＲＳスイッチングトリガに基づいてＡ−ＳＲＳスイッチングをトリガすることを行うように設定されるスイッチングトリガ処理モジュール３６を含む、無線デバイス１２。
【０１３０】
いくつかの他の実施形態は以下を含む。
【０１３１】
本開示の１つの態様によると、ネットワークノード１４が提供される。ネットワークノード１４は、非周期サウンディング参照信号（Ａ−ＳＲＳ）キャリアスイッチングトリガを設定することであって、Ａ−ＳＲＳスイッチングトリガは、無線デバイス１２に、第２のキャリアを使用してＡ−ＳＲＳを送信するための、第１のキャリアから第２のキャリアへのＡ−ＳＲＳキャリアスイッチングを行わせるように設定される、Ａ−ＳＲＳキャリアスイッチングトリガを設定すること、および設定されたＡ−ＳＲＳキャリアスイッチングトリガを無線デバイス１２に送信することを行うように設定される、処理回路構成２８を含む。
【０１３２】
この態様の１つの実施形態によると、Ａ−ＳＲＳキャリアスイッチングトリガは、ダウンリンク制御情報（ＤＣＩ）フォーマットを有するＤＣＩに含まれる。この態様の１つの実施形態によると、無線デバイスＡ−ＳＲＳキャリアスイッチングに対するＤＣＩフォーマットは、ＤＣＩフォーマット２、２Ａ、および１Ａのうちの１つである。この態様の１つの実施形態によると、ＤＣＩは、Ａ−ＳＲＳキャリアスイッチングを行うために第１のキャリアおよび第２のキャリア両方を指示する。この態様の１つの実施形態によると、グループＡ−ＳＲＳキャリアスイッチングに対するＤＣＩフォーマットはＤＣＩフォーマット３から導出される。この態様の１つの実施形態によると、ＳＲＳはＤＣＬによって電力制御される。
【０１３３】
この態様の１つの実施形態によると、処理回路構成２８は、無線デバイス１２が、事前設定されたパターン表を使用して、Ａ−ＳＲＳキャリアスイッチングを行うために複数のキャリアから第２のキャリアを判断するように設定するようにさらに設定される。Ａ−ＳＲＳキャリアスイッチングトリガは、事前設定されたパターン表を使用してＡ−ＳＲＳキャリアスイッチングを行うように無線デバイス１２をトリガするようにさらに設定される。この態様の１つの実施形態によると、事前設定されたパターン表はＲＲＣシグナリングを使用して設定される。この態様の１つの実施形態によると、無線デバイス１２が事前設定されたパターン表を使用するように設定することは、無線デバイス１２が、Ａ−ＳＲＳキャリアスイッチングを行うために複数のキャリアから第２のキャリアを判断するために事前設定された式を使用するように設定することを含む。この態様の１つの実施形態によると、ＤＣＩはＡ−ＳＲＳキャリアスイッチングを行うために事前設定されたパターン表におけるインデックスを指示する。
【０１３４】
本開示の別の態様によると、ネットワークノード１４のための方法が提供される。非周期サウンディング参照信号（Ａ−ＳＲＳ）キャリアスイッチングトリガが設定される（Ｓ１００）。Ａ−ＳＲＳキャリアスイッチングトリガは、無線デバイス１２に、第２のキャリアを使用してＡ−ＳＲＳを送信するための、第１のキャリアから第２のキャリアへのＡ−ＳＲＳキャリアスイッチングを行わせるように設定される。設定されたＡ−ＳＲＳキャリアスイッチングトリガは無線デバイスに送信される（Ｓ１０２）。
【０１３５】
この態様の１つの実施形態によると、Ａ−ＳＲＳキャリアスイッチングトリガは、ダウンリンク制御情報（ＤＣＩ）フォーマットを有するＤＣＩに含まれる。この態様の１つの実施形態によると、無線デバイスＡ−ＳＲＳキャリアスイッチングに対するＤＣＩフォーマットは、ＤＣＩフォーマット２、２Ａ、および１Ａのうちの１つである。この態様の１つの実施形態によると、グループＡ−ＳＲＳキャリアスイッチングに対するＤＣＩフォーマットはＤＣＩフォーマット３から導出される。この態様の１つの実施形態によると、ＳＲＳはＤＣＬによって電力制御される。この態様の１つの実施形態によると、ＤＣＩは、Ａ−ＳＲＳキャリアスイッチングを行うために第１のキャリアおよび第２のキャリア両方を指示する。
【０１３６】
この態様の１つの実施形態によると、無線デバイス１２は、事前設定されたパターン表を使用して、Ａ−ＳＲＳキャリアスイッチングを行うために複数のキャリアから第２のキャリアを判断するように設定される。Ａ−ＳＲＳキャリアスイッチングトリガは、事前設定されたパターン表を使用してＡ−ＳＲＳキャリアスイッチングを行うように無線デバイス１２をトリガするようにさらに設定される。この態様の１つの実施形態によると、事前設定されたパターン表はＲＲＣシグナリングを使用して設定される。
【０１３７】
この態様の１つの実施形態によると、無線デバイス１２が事前設定されたパターン表を使用するように設定することは、無線デバイス１２が、Ａ−ＳＲＳキャリアスイッチングを行うために複数のキャリアから第２のキャリアを判断するために事前設定された式を使用するように設定することを含む。この態様の１つの実施形態によると、ＤＣＩはＡ−ＳＲＳキャリアスイッチングを行うために事前設定されたパターン表におけるインデックスを指示する。
【０１３８】
本開示の別の態様によると、無線デバイス１２が提供される。無線デバイス１２は、非周期サウンディング参照信号（Ａ−ＳＲＳ）キャリアスイッチングトリガを受信し、Ａ−ＳＲＳキャリアスイッチングトリガに基づいて、第２のキャリアを使用してＡ−ＳＲＳを送信するための、第１のキャリアから第２のキャリアへのＡ−ＳＲＳキャリアスイッチングを行い、第２のキャリア上でＡ−ＳＲＳを送信するように設定される処理回路構成１８を含む。
【０１３９】
この態様の１つの実施形態によると、Ａ−ＳＲＳキャリアスイッチングトリガは、ダウンリンク制御情報（ＤＣＩ）フォーマットを有するＤＣＩに含まれる。この態様の１つの実施形態によると、無線デバイスＡ−ＳＲＳキャリアスイッチングに対するＤＣＩフォーマットは、ＤＣＩフォーマット２、２Ａ、および１Ａのうちの１つである。この態様の１つの実施形態によると、グループＡ−ＳＲＳキャリアスイッチングに対するＤＣＩフォーマットはＤＣＩフォーマット３から導出される。この態様の１つの実施形態によると、ＳＲＳはＤＣＬによって電力制御される。この態様の１つの実施形態によると、ＤＣＩは、Ａ−ＳＲＳキャリアスイッチングを行うために第１のキャリアおよび第２のキャリア両方を指示する。
【０１４０】
この態様の１つの実施形態によると、処理回路構成１８は、事前設定されたパターン表を使用して、Ａ−ＳＲＳキャリアスイッチングを行うために複数のキャリアから第２のキャリアを判断するようにさらに設定される。Ａ−ＳＲＳキャリアスイッチングトリガは、事前設定されたパターン表を使用してＡ−ＳＲＳキャリアスイッチングを行うように無線デバイス１２をトリガするようにさらに設定される。この態様の１つの実施形態によると、事前設定されたパターン表はＲＲＣシグナリングを使用して設定される。この態様の１つの実施形態によると、事前設定されたパターン表を使用することは、Ａ−ＳＲＳキャリアスイッチングを行うために複数のキャリアから第２のキャリアを判断するために事前設定された式を使用することを含む。この態様の１つの実施形態によると、ＤＣＩはＡ−ＳＲＳキャリアスイッチングを行うために事前設定されたパターン表におけるインデックスを指示する。
【０１４１】
本開示の１つの態様によると、無線デバイス１２のための方法が提供される。非周期サウンディング参照信号（Ａ−ＳＲＳ）キャリアスイッチングトリガが受信される（Ｓ１０４）。Ａ−ＳＲＳキャリアスイッチングトリガに基づいて、第２のキャリアを使用してＡ−ＳＲＳを送信するための、第１のキャリアから第２のキャリアへのＡ−ＳＲＳキャリアスイッチングが行われる（Ｓ１０６）。Ａ−ＳＲＳは第２のキャリア上で送信される（Ｓ１０８）。
【０１４２】
この態様の１つの実施形態によると、Ａ−ＳＲＳキャリアスイッチングトリガは、ダウンリンク制御情報（ＤＣＩ）フォーマットを有するＤＣＩに含まれる。この態様の１つの実施形態によると、無線デバイスＡ−ＳＲＳキャリアスイッチングに対するＤＣＩフォーマットは、ＤＣＩフォーマット２、２Ａ、および１Ａのうちの１つである。この態様の１つの実施形態によると、グループＡ−ＳＲＳキャリアスイッチングに対するＤＣＩフォーマットはＤＣＩフォーマット３から導出される。この態様の１つの実施形態によると、ＳＲＳはＤＣＬによって電力制御される。この態様の１つの実施形態によると、ＤＣＩは、Ａ−ＳＲＳキャリアスイッチングを行うために第１のキャリアおよび第２のキャリア両方を指示する。
【０１４３】
この態様の１つの実施形態によると、事前設定されたパターン表を使用して、Ａ−ＳＲＳキャリアスイッチングを行うために複数のキャリアから第２のキャリアを判断する。Ａ−ＳＲＳキャリアスイッチングトリガは、事前設定されたパターン表を使用してＡ−ＳＲＳキャリアスイッチングを行うように無線デバイス１２をトリガするようにさらに設定される。この態様の１つの実施形態によると、事前設定されたパターン表はＲＲＣシグナリングを使用して設定される。この態様の１つの実施形態によると、事前設定されたパターン表を使用することは、Ａ−ＳＲＳキャリアスイッチングを行うために複数のキャリアから第２のキャリアを判断するために事前設定された式を使用することを含む。この態様の１つの実施形態によると、ＤＣＩはＡ−ＳＲＳキャリアスイッチングを行うために事前設定されたパターン表におけるインデックスを指示する。
【０１４４】
本開示の別の態様によると、ネットワークノード１４が提供される。トリガ設定処理モジュール３８は、非周期サウンディング参照信号（Ａ−ＳＲＳ）キャリアスイッチングトリガを設定するように設定される。Ａ−ＳＲＳスイッチングトリガは、無線デバイス１２に、第２のキャリアを使用してＡ−ＳＲＳを送信するための、第１のキャリアから第２のキャリアへのＡ−ＳＲＳキャリアスイッチングを行わせるように設定される。トリガ設定処理モジュール３８は、設定されたＡ−ＳＲＳキャリアスイッチングトリガを無線デバイス１２に送信するように設定される。
【０１４５】
本開示の別の態様によると、無線デバイス１２が提供される。無線デバイス１２は、非周期サウンディング参照信号（Ａ−ＳＲＳ）キャリアスイッチングトリガを受信し、Ａ−ＳＲＳスイッチングトリガに基づいて、第２のキャリアを使用してＡ−ＳＲＳを送信するための、第１のキャリアから第２のキャリアへのＡ−ＳＲＳキャリアスイッチングを行い、第２のキャリア上でＡ−ＳＲＳを送信するように設定されるスイッチングトリガ処理モジュール３６を含む。
【０１４６】
当業者には理解されるであろうが、本明細書に説明される概念は、方法、データ処理システム、および／またはコンピュータプログラム製品として具現化されてよい。それ故に、本明細書に説明される概念は、完全にハードウェアの実施形態、完全にソフトウェアの実施形態、または、全てが全般的に、本明細書において「回路」または「モジュール」と称されるソフトウェアの態様とハードウェアの態様とを組み合わせた実施形態の形態を取ることができる。さらに、本開示は、コンピュータによって実行可能である媒体において具現化されるコンピュータプログラムコードを有する有形のコンピュータ使用可能記憶媒体上のコンピュータプログラム製品の形態を取ることができる。ハードディスク、ＣＤ−ＲＯＭ、電子記憶デバイス、光記憶デバイス、または磁気記憶デバイスを含む任意の適した有形のコンピュータ可読媒体が利用されてよい。
【０１４７】
いくつかの実施形態は、方法、システム、およびコンピュータプログラム製品のフローチャート図および／またはブロック図を参照して本明細書に説明されている。フローチャート図および／またはブロック図、ならびにフローチャート図および／またはブロック図のブロックの組み合わせは、コンピュータプログラム命令によって実装可能であることが理解されるであろう。これらのコンピュータプログラム命令を、汎用コンピュータ、専用コンピュータ、または他のプログラマブルデータ処理装置のプロセッサに与えて、マシンを製造することで、コンピュータまたは他のプログラマブルデータ処理装置のプロセッサによって実行する命令が、フローチャートおよび／またはブロック図の１つまたは複数のブロックにおいて特定された機能／作用を実装するための手段を作り出すようにすることができる。
【０１４８】
これらのコンピュータプログラム命令を、コンピュータまたは他のプログラマブルデータ処理装置に特定のやり方で機能するように指図することができるコンピュータ可読メモリまたは記憶媒体に記憶することで、そのコンピュータ可読メモリに記憶された命令が、フローチャートおよび／またはブロック図の１つまたは複数のブロックにおいて特定された機能／作用を実施する命令手段を含む製品を製造するようにすることもできる。
【０１４９】
コンピュータプログラム命令を、コンピュータまたは他のプログラマブルデータ処理装置にロードして、コンピュータ実施プロセスを生じさせるための一連の動作ステップをコンピュータまたは他のプログラマブル装置上で実行させ、それによって、コンピュータまたは他のプログラマブル装置上で実行する命令が、フローチャートまたはブロック図の１つまたは複数のブロックにおいて特定された機能／作用を実施するためのステップを提供するようにすることもできる。
【０１５０】
ブロックに記される機能／作用が、動作図に記される順序以外で生じる場合があることは、理解されたい。例えば、連続して示される２つのブロックは、実際には、実質的に同時に実行可能である、または、該ブロックは、関係する機能性／作用に応じて、逆の順序で実行される時があってよい。図のいくつかは、通信の主要な方向を示すために通信経路上に矢印を含むが、図示された矢印と反対の方向に通信が生じる場合があることは理解されたい。
【０１５１】
本明細書に説明される概念の動作を実行するためのコンピュータプログラムコードは、Ｊａｖａ（登録商標）またはＣ＋＋などのオブジェクト指向プログラミング言語で記述されてよい。しかしながら、本開示の動作を実行するためのコンピュータプログラムコードは、「Ｃ」プログラミング言語などの従来の手続き型プログラミング言語で記述されてもよい。プログラムコードは、全体がユーザのコンピュータ上で実行される場合があり、独立したソフトウェアパッケージとして、一部がユーザのコンピュータ上で実行される場合があり、一部がユーザのコンピュータ上で実行され、一部がリモートコンピュータ上で実行される場合があり、または全体がリモートコンピュータ上で実行される場合がある。後者のシナリオでは、リモートコンピュータは、ローカルエリアネットワーク（ＬＡＮ）またはワイドエリアネットワーク（ＷＡＮ）を通してユーザのコンピュータに接続されてよい、または（例えば、インターネットサービスプロバイダを使用したインターネットを通して）外部のコンピュータへの接続がなされてよい。
【０１５２】
上記の説明および図面に関連して、多くの異なる実施形態が本明細書に開示されている。これらの実施形態の組み合わせおよび部分的組み合わせ全てをそのまま説明および例示することは、繰り返しが多すぎて不明瞭になるであろうことは理解されるであろう。それ故に、全ての実施形態は任意のやり方および／または組み合わせで組み合わせ可能であり、図面を含む本明細書は、本明細書に説明される実施形態の全ての組み合わせおよび部分的組み合わせ、ならびにそれらを作成しかつ使用するやり方およびプロセスの完全に記述された説明を構成すると解釈されるものとし、かつ任意のかかる組み合わせまたは部分的組み合わせに対する特許請求をサポートするものとする。
【０１５３】
本明細書に説明される実施形態が、とりわけ、本明細書において上記に示されかつ説明されているものに限定されないことは、当業者には理解されるであろう。さらに、特に言及しない限り、添付の図面の全てが一定尺度ではないことは留意されるべきである。以下の特許請求の範囲から逸脱することなく上記の教示を考慮して、さまざまな修正および変形が可能である。
【図１】
2019533927.tif 000010
【図２】
2019533927.tif 000011
【図３】
2019533927.tif 000012
【図４】
2019533927.tif 000013
【図５】
2019533927.tif 000014
【図６】
2019533927.tif 000015
【図７】
2019533927.tif 000016
【国際調査報告】
2019533927.tif 000017
2019533927.tif 000018
2019533927.tif 000019
2019533927.tif 000020